(57)【要約】  ＵＥがマスタｅＮＢ（ＭｅＮＢ）によりサービングされる一つ以上のサービング周波数及び二次ｅＮＢ（ＳｅＮＢ）によりサービングされる一つ以上のサービング周波数で搬送波集成される場合、動作の二重接続モードのためにユーザ端末（ＵＥ）を構成する方法及びシステム。上記方法は、ＵＥがＳｅＮＢのＳセルを追加するかまたは切り替えした後にＳｅＮＢのＳセルでランダムアクセス手順を自律的に開始できるようにする。また、上記方法は、ＵＥがＳｅＮＢのＳセルとＵＥ間に確立された一つ以上のデータ無線ベアラで無線リンク失敗（ＲＬＦ）を処理できるようにする。
2016532391.tif 000002
【特許請求の範囲】
【請求項１】
無線ネットワークにおけるユーザ端末（ＵＥ）によりランダムアクセス手順を実行する方法であって、前記方法は、少なくとも一つの第１のサービング周波数でサービングされる第１のｅＮＢの一次セル（Ｐセル）及び少なくとも一つの第１のサービング周波数でサービングされる第１のｅＮＢの少なくとも一つの二次セル（Ｓセル）で構成を実行するステップと、前記少なくとも一つのＳセルのうち一つに物理的ランダムアクセスチャネル（ＰＲＡＣＨ）でランダムアクセス（ＲＡ）プリアンブルを伝送するステップと、前記少なくとも一つのＳセルのうち一つから物理的ダウンリンク制御チャネル（ＰＤＣＣＨ）でランダムアクセス応答（ＲＡＲ）メッセージを受信するステップと、前記少なくとも一つのＳセルのうち一つにアップリンクデータを伝送するステップとを含むことを特徴とする、方法。
【請求項２】
前記ＵＥが、物理的アップリンク制御チャネル(ＰＵＣＣＨ)構成を有する少なくとも一つのＳセルの切り替えまたは少なくとも一つのＳセルの追加のために無線リソース制御（ＲＲＣ）接続再構成メッセージを受信する場合に、前記構成を実行するステップが実行されることを特徴とする、請求項１に記載の方法。
【請求項３】
前記ＰＲＡＣＨに関連するランダムアクセス無線ネットワーク一時的識別子（ＲＡ−ＲＮＴＩ）を使用して前記ＲＡＲメッセージをデコーディングするステップと、前記ＲＡプリアンブルに応答して、アップリンクグラント、ランダムアクセスプリアンブル識別子、一時的Ｃ−ＲＮＴＩ及びアップリンクタイミングアドバンス情報を受信するステップと、前記アップリンクグラントに基づいて、競合解決のためにＵＥアイデンティティを含む要請メッセージを伝送するステップと、前記ＵＥアイデンティティを再度受信し、前記一時的Ｃ−ＲＮＴＩを使用して競合解決メッセージで応答を受信するステップと、前記第１のｅＮＢにランダムアクセス手順の状態を伝送するステップをさらに含むことを特徴とする、請求項２に記載の方法。
【請求項４】
前記ＵＥが、前記Ｐセルから少なくとも一つのＳセルの切り替えまたは少なくとも一つのＳセルの追加のために、媒体アクセス制御要素(ＭＡＣ ＣＥ)を受信する場合に前記構成を実行するステップが実行されることを特徴とする請求項１に記載の方法。
【請求項５】
前記第１のｅＮＢ及び前記第２のｅＮＢのうちの一つからランダムアクセスプリアンブル割り当てを含む物理的アップリンク制御チャネル（ＰＵＣＣＨ）順序を受信するステップと、前記ＰＲＡＣＨに関連するランダムアクセス無線ネットワーク一時的識別子（ＲＡ−ＲＮＴＩ）を使用して、前記ＲＡプリアンブルに応答して、アップリンクグラント及びアップリンクタイミングアドバンス情報を含む、前記ＲＡＲメッセージをデコーディングするステップと、前記第１のｅＮＢにランダムアクセス手順の状態を伝送するステップをさらに含むことを特徴とする、請求項４に記載の方法。
【請求項６】
第２のｅＮＢに接続された第１のｅＮＢを含む無線ネットワークにおけるユーザ端末（ＵＥ）であって、前記ＵＥは、前記第１のｅＮＢによりサービングされる少なくとも一つの第１のサービング周波数及び前記第２のｅＮＢによりサービングされる少なくとも一つの第２のサービング周波数で搬送波集成され、前記ＵＥは、少なくとも一つのプロセッサを含む集積回路と、前記集積回路内のコンピュータプログラムコードを有する少なくとも一つのメモリを含み、前記少なくとも一つのプロセッサと共に構成される前記コンピュータプログラムコードは、前記ＵＥが少なくても一つの第１のサービング周波数でサービングされる第１のｅＮＢの一次セル(Ｐセル)及び少なくとも一つの第１のサービング周波数でサービングされる第１のｅＮＢの少なくとも一つの二次セル（Ｓセル）で構成を実行し、前記少なくとも一つのＳセルのうち一つに物理的ランダムアクセスチャネル（ＰＲＡＣＨ）でランダムアクセス（ＲＡ）プリアンブルを伝送し、前記少なくとも一つのＳセルのうち一つから物理的ダウンリンク制御チャネル（ＰＤＣＣＨ）でランダムアクセス応答（ＲＡＲ）メッセージを受信し、及び前記少なくとも一つのＳセルのうち一つにアップリンクデータを伝送するようにすることを特徴とする、ユーザ端末。
【請求項７】
前記ＵＥが、物理的アップリンク制御チャネル(ＰＵＣＣＨ)構成を有する少なくとも一つのＳセルの切り替えまたは少なくとも一つのＳセルの追加のために、無線リソース制御（ＲＲＣ）接続再構成メッセージを受信する場合に前記構成を実行するように前記ＵＥが構成されることを特徴とする、請求項６に記載のユーザ端末。
【請求項８】
前記ＰＲＡＣＨに関連するランダムアクセス無線ネットワーク一時的識別子（ＲＡ−ＲＮＴＩ）を使用して前記ＲＡＲメッセージをデコーディングし、前記ＲＡプリアンブルに応答して、アップリンクグラント、ランダムアクセスプリアンブル識別子、一時的Ｃ−ＲＮＴＩ及びアップリンクタイミングアドバンス情報を受信し、前記アップリンクグラントに基づいて、競合解決のためにＵＥアイデンティティを含む要請メッセージを伝送し、前記ＵＥアイデンティティを再度受信し、前記一時的Ｃ−ＲＮＴＩを使用して競合解決メッセージで応答を受信し、及び前記第１のｅＮＢにランダムアクセス手順の状態を伝送するように前記ＵＥが構成されることを特徴とする、請求項７に記載のユーザ端末。
【請求項９】
前記ＵＥが、前記Ｐセルから少なくとも一つのＳセルの切り替えまたは少なくとも一つのＳセルの追加のために媒体アクセス制御要素(ＭＡＣ ＣＥ)を受信する場合に前記構成を実行するように前記ＵＥが構成されることを特徴とする、請求項６に記載のユーザ端末。
【請求項１０】
前記第１のｅＮＢ及び前記第２のｅＮＢのうち一つからランダムアクセスプリアンブル割り当てを含む物理的アップリンク制御チャネル（ＰＵＣＣＨ）順序を受信し、前記ＰＲＡＣＨに関連するランダムアクセス無線ネットワーク一時的識別子（ＲＡ−ＲＮＴＩ）を使用して、前記ＲＡプリアンブルに応答して、アップリンクグラント及びアップリンクタイミングアドバンス情報を含む、前記ＲＡＲメッセージをデコーディングし、及び前記第１のｅＮＢにランダムアクセス手順の状態を伝送するように前記ＵＥが構成されることを特徴とする、請求項９に記載のユーザ端末。
【請求項１１】
無線ネットワークにおけるユーザ端末（ＵＥ）により無線リンク失敗手順を実行する方法であって、前記ＵＥは、前記第１のｅＮＢによりサービングされる少なくとも一つの第１のサービング周波数及び前記第２のｅＮＢによりサービングされる少なくとも一つの第２のサービング周波数で搬送波集成され、前記方法が前記第２のサービング周波数で無線リンク失敗を検出するステップと、前記第１のｅＮＢに前記無線リンク失敗に対する情報を伝送するステップと、前記第１のｅＮＢから無線リソース制御（ＲＲＣ）接続再構成メッセージを受信するステップを含むことを特徴とする、方法。
【請求項１２】
前記無線リンク失敗が、ランダムアクセスプリアンブル伝送カウンターが予め定義された閾値を超過するということを表示するランダムアクセスチャネル（ＲＡＣＨ）失敗、及び前記第２のｅＮＢに対するＲＬＣ再伝送の最大数が予め定義された閾値を超過するということを表示する無線リンク制御(ＲＬＣ)エラーのうち一つのであることを特徴とする、請求項１１に記載の方法。
【請求項１３】
前記第１のｅＮＢに対するＲＲＣ接続再確立手順を開始することを抑制するステップをさらに含むことを特徴とする、請求項１１に記載の方法。
【請求項１４】
前記情報が、前記ＲＬＣエラー及び前記ＲＡＣＨ失敗のうち一つを表示する接続失敗類型を含むことを特徴とする、請求項１２に記載の方法。
【請求項１５】
前記情報が、ＲＲＣメッセージを使用するか、または、媒体アクセス制御(ＭＡＣ)メッセージを使用して伝送されることを特徴とする、請求項１１に記載の方法。
【請求項１６】
前記情報が、前記ＲＬＣエラーが検出されるアップリンクデータ無線ベアラの論理チャネルアイデンティティをさらに含むことを特徴とする、請求項１４に記載の方法。
【請求項１７】
第２のｅＮＢに接続された第１のｅＮＢを含む無線ネットワークにおけるユーザ端末（ＵＥ）であって、前記ＵＥは、前記第１のｅＮＢによりサービングされる少なくとも一つの第１のサービング周波数及び前記第２のｅＮＢによりサービングされる少なくとも一つの第２のサービング周波数で搬送波集成され、前記ＵＥは、少なくとも一つのプロセッサを含む集積回路と、前記集積回路内のコンピュータプログラムコードを有する少なくとも一つのメモリを含み、前記少なくとも一つのプロセッサと共に構成される前記コンピュータプログラムコードは、前記ＵＥが前記第２のサービング周波数で無線リンク失敗を検出し、前記第１のｅＮＢに前記無線リンク失敗に対する情報を伝送し、及び前記第１のｅＮＢから無線リソース制御（ＲＲＣ）接続再構成メッセージを受信するようにすることを特徴とする、ユーザ端末。
【請求項１８】
前記無線リンク失敗が、ランダムアクセスプリアンブル伝送カウンターが予め定義された閾値を超過するということを表示するランダムアクセスチャネル（ＲＡＣＨ）失敗、及び前記第２のｅＮＢに対するＲＬＣ再伝送の最大数が予め定義された閾値を超過するということを表示する無線リンク制御(ＲＬＣ)エラーのうち一つであることを特徴とする、請求項１７に記載のユーザ端末。
【請求項１９】
前記ＵＥが、前記第１のｅＮＢに対するＲＲＣ接続再確立手順を開始することを抑制するようにさらに構成されることを特徴とする、請求項１７に記載のユーザ端末。
【請求項２０】
前記情報が、前記ＲＬＣエラー及び前記ＲＡＣＨ失敗のうち一つを表示する接続失敗類型を含むことを特徴とする、請求項１８に記載のユーザ端末。
【請求項２１】
前記情報が、ＲＲＣメッセージを使用するか、または媒体アクセス制御(ＭＡＣ)メッセージを使用して伝送されることを特徴とする、請求項１７に記載のユーザ端末。
【請求項２２】
前記情報が、前記ＲＬＣエラーが検出されるアップリンクデータ無線ベアラの論理チャネルアイデンティティをさらに含むことを特徴とする、請求項２０に記載のユーザ端末。
【請求項２３】
無線ネットワークにおけるランダムアクセス手順を実行する方法であって、前記無線ネットワークは、複数の第２のｅＮＢに接続される第１のｅＮＢを含み、ユーザ端末（ＵＥ）は、前記第１のｅＮＢによりサービングされる少なくとも一つの第１のサービング周波数及び複数の第２のｅＮＢのうちの第２のｅＮＢによりサービングされる少なくとも一つの第２のサービング周波数で搬送波集成され、前記方法が前記少なくとも一つのＳセルのうち一つで前記ＵＥから物理的ランダムアクセスチャネル（ＰＲＡＣＨ）におけるランダムアクセス（ＲＡ）プリアンブルを受信するステップと、前記少なくとも一つのＳセルのうち一つで前記ＵＥから物理的ダウンリンク制御チャネル（ＰＤＣＣＨ）にランダムアクセス応答（ＲＡＲ）メッセージを伝送するステップと、前記少なくとも一つのＳセルのうち一つで前記ＵＥからアップリンクデータを受信するステップを含むことを特徴とする、方法。
【請求項２４】
前記少なくとも一つのＰセルのうち一つにより、前記ＵＥに、物理的アップリンク制御チャネル(ＰＵＣＣＨ)構成を有する少なくとも一つのＳセルの切り替えまたは少なくとも一つのＳセルの追加のために無線リソース制御（ＲＲＣ）接続再構成メッセージを伝送するステップをさらに含むことを特徴とする、請求項２３に記載の方法。
【請求項２５】
前記少なくとも一つのＳセルのうち一つで、前記ＵＥに、前記ＲＡプリアンブルに応答してアップリンクグラント、ランダムアクセスプリアンブル識別子、一時的Ｃ−ＲＮＴＩ及びアップリンクタイミングアドバンス情報を伝送するステップと、前記少なくとも一つのＳセルのうち一つで、前記ＵＥから、前記アップリンクグラントに基づいて競合解決のためにＵＥアイデンティティを含む要請メッセージを受信するステップと、前記少なくとも一つのＳセルのうち一つで、前記ＵＥに、前記ＵＥアイデンティティを伝送し、前記一時的Ｃ−ＲＮＴＩを使用して競合解決メッセージで応答を伝送するステップと、前記少なくとも一つのＰセルのうち一つで、前記ＵＥからランダムアクセス手順の状態を受信するステップをさらに含むことを特徴とする、請求項２４に記載の方法。
【請求項２６】
前記少なくとも一つのＰセルのうち一つで、前記ＵＥに、少なくとも一つのＳセルの切り替えまたは少なくとも一つのＳセルの追加のために媒体アクセス制御要素(ＭＡＣ ＣＥ)を伝送するステップをさらに含むことを特徴とする、請求項２３に記載の方法。
【請求項２７】
前記ＵＥに、ランダムアクセスプリアンブル割り当てを含む物理的アップリンク制御チャネル(ＰＵＣＣＨ)順序を前記第１のｅＮＢ及び前記第２のｅＮＢのうち一つにより伝送するステップと、前記ＵＥからランダムアクセス手順の状態を前記第１のｅＮＢにより受信するステップをさらに含み、前記ＲＡＲメッセージが前記ＲＡプリアンブルに応答してアップリンクグラント及びアップリンクタイミングアドバンス情報を含むことを特徴とする、請求項２６に記載の方法。
【請求項２８】
ランダムアクセス手順を実行する無線ネットワークであって、前記無線ネットワークは、複数の第２のｅＮＢに接続される第１のｅＮＢを含み、ユーザ端末（ＵＥ）は、前記第１のｅＮＢによりサービングされる少なくとも一つの第１のサービング周波数及び複数の第２のｅＮＢのうちの第２のｅＮＢによりサービングされる少なくとも一つの第２のサービング周波数で搬送波集成され、前記無線ネットワークが前記少なくとも一つのＳセルのうち一つで、前記ＵＥから物理的ランダムアクセスチャネル（ＰＲＡＣＨ）におけるランダムアクセス（ＲＡ）プリアンブルを受信し、前記少なくとも一つのＳセルのうち一つで、前記ＵＥから、物理的ダウンリンク制御チャネル(ＰＤＣＣＨ)にランダムアクセス応答（ＲＡＲ）メッセージを伝送し、及び前記少なくとも一つのＳセルのうち一つで前記ＵＥからアップリンクデータを受信するように構成されることを特徴とする、無線ネットワーク。
【請求項２９】
前記無線ネットワークが前記少なくとも一つのＰセルのうち一つで、前記ＵＥに物理的アップリンク制御チャネル(ＰＵＣＣＨ)構成を有する少なくとも一つのＳセルの切り替えまたは少なくとも一つのＳセルの追加のために無線リソース制御（ＲＲＣ）接続再構成メッセージを伝送するようにさらに構成されることを特徴とする、請求項２８に記載の無線ネットワーク。
【請求項３０】
前記無線ネットワークが前記少なくとも一つのＳセルのうち一つで、前記ＵＥに、前記ＲＡプリアンブルに応答してアップリンクグラント、ランダムアクセスプリアンブル識別子、一時的Ｃ−ＲＮＴＩ及びアップリンクタイミングアドバンス情報を伝送し、前記少なくとも一つのＳセルのうち一つで、前記ＵＥから前記アップリンクグラントに基づいて競合解決のためにＵＥアイデンティティを含む要請メッセージを受信し、前記少なくとも一つのＳセルのうち一つで前記ＵＥに前記ＵＥアイデンティティを伝送し、前記一時的Ｃ−ＲＮＴＩを使用して競合解決メッセージで応答を伝送し、及び前記少なくとも一つのＰセルのうち一つで、前記ＵＥからランダムアクセス手順の状態を受信するようにさらに構成されることを特徴とする、請求項２９に記載の無線ネットワーク。
【請求項３１】
前記無線ネットワークが前記少なくとも一つのＰセルのうち一つで前記ＵＥに少なくとも一つのＳセルの切り替えまたは少なくとも一つのＳセルの追加のために媒体アクセス制御要素(ＭＡＣ ＣＥ)を伝送するようにさらに構成されることを特徴とする、請求項２８に記載の無線ネットワーク。
【請求項３２】
前記無線ネットワークが前記ＵＥにランダムアクセスプリアンブル割り当てを含む物理的アップリンク制御チャネル(ＰＵＣＣＨ)順序を前記第１のｅＮＢ及び前記第２のｅＮＢのうち一つにより伝送し、及び前記ＵＥからランダムアクセス手順の状態を前記第１のｅＮＢにより受信するようにさらに構成され、前記ＲＡＲメッセージが前記ＲＡプリアンブルに応答してアップリンクグラント及びアップリンクタイミングアドバンス情報を含むことを特徴とする、請求項３１に記載の無線ネットワーク。
【請求項３３】
無線ネットワークにおける無線リンク失敗手順を実行する方法であって、前記無線ネットワークは、複数の第２のｅＮＢに接続される第１のｅＮＢを含み、ユーザ端末（ＵＥ）は、前記第１のｅＮＢによりサービングされる少なくとも一つの第１のサービング周波数及び前記複数の第２のｅＮＢのうちの第２のｅＮＢによりサービングされる少なくとも一つの第２のサービング周波数で搬送波集成され、前記方法は、前記第２のサービング周波数で前記無線リンク失敗を検出する前記ＵＥから無線リンク失敗に対する情報を前記第１のｅＮＢにより受信するステップと、前記ＵＥに無線リソース制御（ＲＲＣ）接続再構成メッセージを前記第１のｅＮＢにより伝送するステップを含むことを特徴とする、方法。
【請求項３４】
前記無線リンク失敗が、ランダムアクセスプリアンブル伝送カウンターが予め定義された閾値を超過するということを表示するランダムアクセスチャネル（ＲＡＣＨ）失敗、及び前記第２のｅＮＢに対するＲＬＣ再伝送の最大数が予め定義された閾値を超過するということを表示する無線リンク制御(ＲＬＣ)エラーのうち一つであることを特徴とする、請求項３３に記載の方法。
【請求項３５】
前記第１のｅＮＢが前記ＵＥとのＲＲＣ接続再確立手順を実行しないことを特徴とする、請求項３３に記載の方法。
【請求項３６】
前記情報が前記ＲＬＣエラー及び前記ＲＡＣＨ失敗のうち一つを表示する接続失敗類型を含むことを特徴とする、請求項３４に記載の方法。
【請求項３７】
前記情報が、ＲＲＣメッセージを使用するか、または媒体アクセス制御(ＭＡＣ)メッセージを使用して受信されることを特徴とする、請求項３３に記載の方法。
【請求項３８】
前記情報が、前記ＲＬＣエラーが検出されるアップリンクデータ無線ベアラの論理チャネルアイデンティティをさらに含むことを特徴とする、請求項３６に記載の方法。
【請求項３９】
無線リンク失敗手順を実行する無線ネットワークであって、前記無線ネットワークは、複数の第２のｅＮＢに接続される第１のｅＮＢを含み、ユーザ端末（ＵＥ）は、前記第１のｅＮＢによりサービングされる少なくとも一つの第１のサービング周波数及び前記複数の第２のｅＮＢのうちの第２のｅＮＢによりサービングされる少なくとも一つの第２のサービング周波数で搬送波集成され、前記無線ネットワークが、前記第２のサービング周波数で前記無線リンク失敗を検出する前記ＵＥから無線リンク失敗に対する情報を前記第１のｅＮＢにより受信し、前記ＵＥに無線リソース制御（ＲＲＣ）接続再構成メッセージを前記第１のｅＮＢにより伝送するように構成されることを特徴とする、無線ネットワーク。
【請求項４０】
前記無線リンク失敗が、ランダムアクセスプリアンブル伝送カウンターが予め定義された閾値を超過するということを表示するランダムアクセスチャネル（ＲＡＣＨ）失敗、及び前記第２のｅＮＢに対するＲＬＣ再伝送の最大数が予め定義された閾値を超過するということを表示する無線リンク制御(ＲＬＣ)エラーのうちの一つであることを特徴とする、請求項３９に記載の無線ネットワーク。
【請求項４１】
前記第１のｅＮＢが、前記ＵＥとのＲＲＣ接続再確立手順を実行しないことを特徴とする、請求項３９に記載の無線ネットワーク。
【請求項４２】
前記情報が、前記ＲＬＣエラー及び前記ＲＡＣＨ失敗のうち一つを表示する接続失敗類型を含むことを特徴とする、請求項４０に記載の無線ネットワーク。
【請求項４３】
ＲＲＣメッセージを使用するか、または媒体アクセス制御(ＭＡＣ)メッセージを使用して前記情報が受信されることを特徴とする請求項３９に記載の無線ネットワーク。
【請求項４４】
前記情報が、前記ＲＬＣエラーが検出されるアップリンクデータ無線ベアラの論理チャネルアイデンティティをさらに含むことを特徴とする請求項４２に記載の無線ネットワーク。
【発明の詳細な説明】
【技術分野】
【０００１】
本発明は、無線ネットワーク、及びより具体的に二重接続を展開する無線ネットワークにおけるｅＮＢ間搬送波集成に関する。
【背景技術】
【０００２】
モバイルトラフィック量の増加は、無線ネットワークにおけるユーザ端末（ＵＥ）の移動性堅固性及びスループットに対する要求を増加させている。増加するスループットのために、ＵＥが複数のサービングセルによりサービングされる搬送波集成が開発された。より大きいデータ率に対する要求がＵＥに対して発生する場合、相異なる搬送波周波数における一つ以上のサービングセルがＵＥに対して構成される。サービングセルは、一つのｅＮＢ(eNodeB)により支配され、展開はｅＮＢ内搬送波集成と呼ばれる。ｅＮＢ内搬送波集成では、複数の搬送波周波数における伝送に関連する全ての処理が同一のｅＮＢ内で発生するために、理想的なバックホールは、ＵＥが接続される複数のサービングセル間に存在する。
【０００３】
オフロードのための高い周波数帯域(３．０ＧＨｚ帯域以上）の周波数における小型セルの展開により、地理的に分離される相異なるｅＮＢを横切る搬送波を集成する必要がある。ｅＮＢ間搬送波集成による二重接続と呼ばれる新たな技術は、ＵＥが複数のサービングセルに対応するネットワークノード間に非理想的なバックホール(backhaul）が存在すると仮定する複数のサービングセルに対する接続を維持できるようにする。二重接続で、ＵＥにカバレッジを提供するサービング搬送波は、モビリティアンカとしての役割をし、小型セルからの搬送波は追加容量を提供する。小型セル階層とモビリティアンカによりサービングされるサービングセル間の非常に高い速度及び非常に低い待機時間の光ファイバーリンクを使用して理想的なバックホールを使用可能であるが、展開費用が非常に高いためモバイル運営者は既存の非理想的なバックホールリンクを活用する。ｅＮＢ間搬送波集成で、ＵＥは相異なるｅＮＢに関連するサービングセルによりサービングされる。
【０００４】
２個の地理的に分離されたｅＮＢにより制御される２個のセル間で搬送波集成が構想される時、ＵＥは、それぞれのセルに対してアップリンク同期化を実行する必要がある。このようなシナリオで、二重接続は、ＵＥが２個の地理的に分離されたｅＮＢにより制御される２個のセルとの物理的リンクを維持するように構想される。また、ＵＥは、ダウンリンクとアップリンクの両側で、または、ダウンリンクのみで二重接続を維持する。アップリンクで、２個のセルに対する二重接続は同時に行われるか、または、時間多重化されることができる。地理的に分離され、かつ相異なる周波数帯域の２個の別途の周波数(構成要素搬送波)で動作するために、モビリティアンカ、すなわち、マスタｅＮＢ（ＭｅＮＢ）とも呼ばれるアンカｅＮＢに対するアップリンクタイミングアドバンスは、小型ｅＮＢまたは二次ｅＮＢ（ＳｅＮＢ）とも呼ばれる補助ｅＮＢに対するアップリンクタイミングアドバンスとは相異する。ＵＥは、カバレッジ及び移動性を提供するサービング周波数で、ＭｅＮＢの一次サービングセル(Ｐセル)によりサービングされ、データ率を増加させるためにオフローディング機会を各々提供する他のサービング周波数でサービングされるＭｅＮＢ及び/またはＳｅＮＢの一つ以上の二次セル(Ｓセル）で集成される。これは、遠隔無線ヘッド（ＲＲＨ）を通して展開される帯域間の共同で位置しない搬送波集成と類似である。しかし、動作の二重接続モードの脈絡でＭｅＮＢとＳｅＮＢ間のリンクは非理想的である一方、マクロｅＮＢに対するＲＲＨリンクは理想的(一般的に、光ファイバーリンク)である。
【０００５】
ＵＥがＳｅＮＢにより一般的にサービングされるＳセルに割り当てられるサービング周波数におけるアップリンク同期化を必要とするたびに、ＵＥは、ランダムアクセス手順を実行する必要がある。ｅＮＢ内搬送波集成で、ＵＥは、Ｓセルから伝送されるランダムアクセスプリアンブルに対する応答がＭｅＮＢのＰセルで受信されるようにＳセルから物理的ダウンリンク制御チャネル(ＰＤＣＣＨ)順序を受信した後にだけ、及びＭｅＮＢのＳセルのアクティブ化以後にランダムアクセス手順を実行する。しかし、非理想的なバックホールによる動作の二重接続モードで、ＳｅＮＢのＳセルで伝送されるランダムアクセスプリアンブルに対応するＭｅＮＢのＰセルからのランダムアクセス応答を受信するステップは容易ではなく、ランダムアクセス手順の成功的な完了に適合しない長い遅延を発生させる。したがって、それぞれのタイミングアドバンスに対するＭｅＮＢ及びＳｅＮＮＢにおける独立的なランダムアクセス手順が認定される。
【０００６】
また、ＵＥがＳｅＮＢのＳセルに割り当てられるサービング周波数により及びＭｅＮＢのＰセルに割り当てられるサービング周波数によりサービングされる時、ＳｅＮＢのＳセルで進化したパケットシステム（ＥＰＳ）ベアラにマッピングされるデータ無線ベアラ（ＤＲＢ）に対するＵＥにおけるアップリンク無線リンク失敗（ＲＬＦ）手順の処理ステップがＲＬＣ規格ＴＳ３６．３２２に定義されたように実行される。
【０００７】
規格によれば、レガシｅＮＢ内搬送波集成で、ＵＥがＰセルでＲＬＦを検出すると、ＵＥはＲＲＣ接続再確立手順を開始する一方、ＳセルにおけるＲＬＦは処理するＰセルに残っている。ＵＥの動作のレガシｅＮＢ内搬送波集成でＥＰＳベアラデータの伝送及び受信が同一のｅＮＢのＳセル及びＰセル両側で実行される場合、レガシｅＮＢ内搬送波集成で無線リンク制御（ＲＬＣ）エンティティ及びＰＤＣＰエンティティは、搬送波集成に透過的であるため、再確立はＰセルとＳセル両側におけるサービスが中断される。したがって、エラー条件がＵＥのＲＬＣエンティティで発生すると、ＵＥは再確立手順によりエラーを復元すべきである。しかし、ｅＮＢ間搬送波集成を含むＵＥの動作の二重接続モードで、ＳｅＮＢのＳセル及びＭｅＮＢのＰセルは、ＵＥの相異なるベアラに対するデータを伝達する。このような場合、ＲＬＣエラーによってアップリンクＲＬＦが発生すると、ＵＥのＲＬＣエンティティは、エラー条件がＳｅＮＢによるＳセルで発生したか、またはＭｅＮＢによりサービングされるＰセルで発生したかを区別できる。ＲＬＣエラーがＳｅＮＢのＳセルで発生する時にＲＲＣ接続再確立のレガシ手順がトリガーされると進行中であるサービスが中断され、ＰセルとＳセル両側に対するデータ損失を引き起こすことができる。また、無線リソース制御（ＲＲＣ）接続の再確立のためのレガシ手順はバッテリー電力消費を効果的に増加させるより多くのシグナリングを必要とする。したがって、ＲＬＣエラーによってアップリンクＲＬＦがＳｅＮＢのＳセルのＥＰＳベアラで発生するとＲＲＣ接続再確立のレガシ手順を開始するステップはサービス中断の観点で効果的でも効率的でもない。
【発明の概要】
【発明が解決しようとする課題】
【０００８】
規格によれば、レガシｅＮＢ内搬送波集成で、ＵＥがＰセルでＲＬＦを検出すると、ＵＥはＲＲＣ接続再確立手順を開始する一方、ＳセルにおけるＲＬＦは、処理するＰセルに残っている。ＵＥの動作のレガシｅＮＢ内搬送波集成でＥＰＳベアラデータの伝送及び受信が同一のｅＮＢのＳセル及びＰセル両側で実行される場合、レガシｅＮＢ内搬送波集成で無線リンク制御（ＲＲＣ）エンティティ及びＰＤＣＰエンティティは、搬送波集成に透過的であるため、再確立は、ＰセルとＳセル両側におけるサービス中断に続く。したがって、エラー条件がＵＥのＲＬＣエンティティで発生すると、ＵＥは、再確立手順によりエラーを復元すべきである。しかし、ｅＮＢ間搬送波集成を含むＵＥの動作の二重接続モードで、ＳｅＮＢのＳセル及びＭｅＮＢのＰセルは、ＵＥの相異なるベアラに対するデータを伝達する。このような場合、ＲＬＣエラーによってアップリンクＲＬＦが発生すると、ＵＥのＲＬＣエンティティは、エラー条件がＳｅＮＢによるＳセルで発生したか、または、ＭｅＮＢによりサービングされるＰセルで発生したかを区別できる。ＲＬＣエラーがＳｅＮＢのＳセルで発生する時にＲＲＣ接続再確立のレガシ手順がトリガーされると進行中であるサービスが中断され、ＰセルとＳセル両側に対するデータ損失を引き起こすことができる。また、無線リソース制御（ＲＲＣ）接続の再確立のためのレガシ手順はバッテリー電力消費を効果的に増加させるより多くのシグナリングを必要とする。したがって、ＲＬＣエラーによって、アップリンクＲＬＦがＳｅＮＢのＳセルのＥＰＳベアラで発生するとＲＲＣ接続再確立のレガシ手順を開始するステップはサービス中断の観点で効果的でも効率的でもない。
【課題を解決するための手段】
【０００９】
本明細書に記載された実施形態の主要目的は、ｅＮＢ間搬送波集成を展開する無線ネットワークで、動作の二重接続モードのためにユーザ端末（ＵＥ）を構成する方法及びシステムを提供することである。
【００１０】
本発明の他の目的は、ＳｅＮＢの二次セル(Ｓセル）の追加、または切り替えの際に、ＵＥが二次ｅＮＢ（ＳｅＮＢ）でランダムアクセス手順を開始できるようにする方法を提供することである。
【００１１】
本発明の他の目的は、ＳｅＮＢのＳセルのデータ無線ベアラで無線リンク失敗（ＲＬＦ）を処理する方法を提供することである。
【００１２】
したがって、本発明は、二次ｅＮＢに接続される第１のｅＮＢ(evolvedNodeB)を含む無線ネットワークで動作の二重接続モードのためにユーザ端末（ＵＥ）を構成する方法を提供する。ＵＥは、第１のｅＮＢによりサービングされる少なくとも一つの第１のサービング周波数及び第２のｅＮＢによりサービングされる少なくとも一つの第２のサービング周波数で搬送波集成される。上記方法は、候補第２のサービング周波数による少なくとも一つの第２のサービング周波数の切り替え及び第２のｅＮＢに関連する少なくとも一つの第２のサービング周波数の追加のうち一つのために第１のサービング周波数でサービングされる第１のｅＮＢの一次セル(Ｐセル)からダウンリンク方向に構成を受信するステップを含む。候補第２のサービング周波数は、第２のｅＮＢ及び候補第２のｅＮＢのうち一つに関連する。上記方法は、第２のサービング周波数の追加及び切り替えのうちの一つの後、第２のｅＮＢに関連する第２のサービング周波数でランダムアクセス手順を開始するステップをさらに含む。ＵＥにより開始されるランダムアクセス手順は、競合ベースランダムアクセス及び競合なしのランダムアクセスのうち一つである。また、上記方法は、ＵＥが、動作の二重接続モードのために構成される時、第２のｅＮＢに関連する第２のサービング周波数がＵＥでアクティブ化された後に、第１のｅＮＢに第２のサービング周波数に関連する通信リンクの状態を伝送するステップを含む。通信リンクの状態は、第１のｅＮＢに成功原因値及び失敗原因値のうち一つを提供する。
【００１３】
したがって、本発明は、ＵＥが第２のｅＮＢに接続される第１のｅＮＢを含む無線ネットワークで動作の二重接続モードのために構成される時、第２のｅＮＢによりユーザ端末（ＵＥ）で無線リンク失敗（ＲＬＦ）を処理する方法を提供する。ＵＥは、第１のｅＮＢによりサービングされる少なくとも一つの第１のサービング周波数及び第２のｅＮＢによりサービングされる少なくとも一つの第２のサービング周波数で搬送波集成される。上記方法は、第２のｅＮＢのサービングセルに関連する第２のサービング周波数で無線リンク問題を検出するステップを含む。検出された無線リンク問題は、第２のｅＮＢに伝送されるチャネル品質表示（ＣＱＩ）報告書及びハイブリッド自動反復要請（ＨＡＲＱ）承認/非承認（ＡＣＫ／ＮＡＫ）表示のうち少なくとも一つに基づいて識別されるダウンリンク無線リンク失敗（ＲＬＦ）である。また、上記方法は、第１のｅＮＢにダウンリンクＲＬＦを報告するステップを含む。報告書は、再構成メッセージ及びダウンリンクＲＬＦを表示する原因値フィールドのうち少なくとも一つを含む。再構成メッセージは、第２のサービング周波数に関連するＳセルの切り替え及び第２のｅＮＢにより処理される少なくとも一つのデータ無線ベアラを再確立するための再構成媒介変数を提供する。また、上記方法は、少なくとも一つの作業を実行するために第１のｅＮＢからダウンリンク方向に第１のｅＮＢに関連する一次セル(Ｐセル)によりサービングされる第１のサービング周波数で、ＵＥにより無線リソース制御（ＲＲＣ）接続再構成メッセージを受信するステップを含む。少なくとも一つの作業は、適合した候補第２のｅＮＢの適合したＳセル及びＳｅＮＢの適合した候補Ｓセルのうち一つにより、第２のｅＮＢのＰＵＣＣＨ構成を有するＳセルを切り替えするステップ、ＲＬＦが検出される第２のｅＮＢに関連する第２のサービング周波数を非アクティブ化するステップ、及び第２のｅＮＢに関連する構成を除去するステップを含む。
【００１４】
したがって、本発明は、第２のｅＮＢに接続された第１のｅＮＢを含む無線ネットワークで動作の二重接続モードを有するユーザ端末（ＵＥ）を提供する。ＵＥは、第１のｅＮＢによりサービングされる少なくとも一つの第１のサービング周波数及び第２のｅＮＢによりサービングされる少なくとも一つの第２のサービング周波数で搬送波集成される。また、ＵＥは、少なくとも一つのプロセッサを含む集積回路、上記回路内のコンピュータプログラムコードを有する少なくとも一つのメモリを含む。少なくとも一つのメモリ及びコンピュータプログラムコードは、少なくとも一つのプロセッサと共に構成され、第２のｅＮＢ及び候補第２のｅＮＢのうち一つに関連する候補第２のサービング周波数による少なくとも一つの第２のサービング周波数の切り替え、及び第２のｅＮＢに関連する少なくとも一つの第２のサービング周波数の追加のうち一つのために、ＵＥが第１のサービング周波数でサービングされる第１のｅＮＢの一次セル(Ｐセル)からダウンリンク方向に構成を受信するようにする。また、ＵＥは、第２のサービング周波数の追加及び切り替えのうちの一つの後に、第２のｅＮＢに関連する第２のサービング周波数でランダムアクセス手順を開始するように構成される。ランダムアクセス手順は、競合ベースランダムアクセス及び競合なしのランダムアクセスのうちの一つである。また、ＵＥは、第２のｅＮＢに関連する第２のサービング周波数がＵＥでアクティブ化され、ＵＥが動作の二重接続モードのために構成された後に第１のｅＮＢに第２のサービング周波数に関連する通信リンクの状態を伝送するように構成され、状態は成功原因値及び失敗原因値のうち一つを提供する。
【００１５】
したがって、本発明は、ユーザ端末（ＵＥ）二重接続を構成するための無線ネットワークを提供し、上記無線ネットワークは、複数の第２のｅＮＢに接続される第１のｅＮＢを含む。ＵＥは、第１のｅＮＢによりサービングされる少なくとも一つの第１のサービング周波数及び複数の第２のｅＮＢのうちの第２のｅＮＢによりサービングされる少なくとも一つの第２のサービング周波数で搬送波集成される。無線ネットワークは、第２のｅＮＢ及び候補第２のｅＮＢのうち一つに関連する候補第２のサービング周波数による少なくとも一つの第２のサービング周波数の切り替え及び第２のｅＮＢに関連する少なくとも一つの第２のサービング周波数の追加のうち一つのために、第１のサービング周波数でサービングされるＵＥに、第１のｅＮＢの一次セル(Ｐセル)からダウンリンク方向に構成を伝送するように構成される。また、無線ネットワークは、第２のサービング周波数の追加及び切り替えのうち一つ以後に、ＵＥによるランダムアクセス手順の開始に応答して、第２のサービング周波数で第２のｅＮＢによりランダムアクセス手順に応答するように構成される。ランダムアクセス手順は、競合ベースランダムアクセス及び競合なしのランダムアクセスのうち一つである。また、無線ネットワークは、第２のｅＮＢに関連する第２のサービング周波数がＵＥでアクティブ化され、ＵＥが動作の二重接続モードのために構成された後に第１のｅＮＢにより第２のサービング周波数に関連する通信リンクの状態を受信するように構成される。通信リンクの状態は第１のｅＮＢに成功原因値及び失敗原因値のうち一つを提供する。
【００１６】
したがって、本発明は、ＵＥが第１のｅＮＢによりサービングされる少なくとも一つの第１のサービング周波数及び第２のｅＮＢによりサービングされる少なくとも一つの第２のサービング周波数で搬送波集成されるように、ＵＥが第２のｅＮＢに接続される第１のｅＮＢを含む無線ネットワークで、動作の二重接続モードのために構成される時、第２のｅＮＢによりユーザ端末（ＵＥ）で無線リンク失敗（ＲＬＦ）を処理する無線ネットワークを提供する。第２のｅＮＢは、第２のｅＮＢのサービングセルに関連する第２のサービング周波数で無線リンク問題を検出するように構成される。検出された無線リンク問題は、第２のｅＮＢに伝送されるチャネル品質表示(CQI)報告書及びハイブリッド自動反復要請（ＨＡＲＱ）承認／非承認（ＡＣＫ／ＮＡＬ）表示のうち一つに基づいて識別されるダウンリンク無線リンク失敗（ＲＬＦ）である。また、第２のｅＮＢは、第１のｅＮＢにダウンリンクＲＬＦを報告するように構成される。報告書は、再構成メッセージ及びダウンリンクＲＬＦを表示する原因値フィールドのうち少なくとも一つを含む。また、再構成メッセージは、第２のサービング周波数に関連するＳセルの切り替え及び第２のｅＮＢにより処理されるダウンリンクデータ無線ベアラを再確立するための再構成媒介変数を提供する。
【００１７】
これら及び本明細書に記載された実施形態の他の様態は添付図面及び次の説明と共に考慮される時、より明確に評価されて理解される。しかし、次の説明は、好ましい実施形態及びこれらの多くの具体的な細部事項を表示するが、限定ではなく、例示のために与えられるということを理解すべきである。発明の思想を逸脱せずに本明細書に記載された実施形態の範囲内で多くの変更例及び修正例が可能であり、本明細書に記載された実施形態はこのような修正例を全て含む。
【図面の簡単な説明】
【００１８】
本発明は、添付図面に図示され、多様な図面で類似の参照番号は該当部品を表示する。本明細書に記載された実施形態は図面を参照した次の説明から明確に理解される。
【図１】本明細書に開示された実施形態による、二重接続でユーザ端末（ＵＥ）のためにｅＮＢ間搬送波集成を展開する無線ネットワーク図である。
【図２ａ】本明細書に開示された実施形態による、非分割データ無線ベアラ実現のためのマスタｅＮＢ（ＭｅＮＢ）及び二次ｅＮＢ（ＳｅＮＢ）における二重接続プロトコルスタック図である。
【図２ｂ】非分割データ無線ベアラ実現のためのＵＥにおける二重接続プロトコルスタック図である。
【図３ａ】本明細書に開示された実施形態による、分割データ無線ベアラ実現のためのＭｅＮＢ及びＳｅＮＢにおける二重接続プロトコルスタック図である。
【図３ｂ】分割データ無線ベアラ実現のためのＵＥにおける二重接続プロトコルスタック図である。
【図４】ＳｅＮＢの二次セル(Ｓセル）の追加または切り替えの際、動作の二重接続モードのためにＵＥを構成して、ＳｅＮＢに対してランダムアクセス手順を開始する方法を図示するフローチャート図である。また、本明細書に開示された実施形態による、ＳｅＮＢのＳセルのデータ無線ベアラにおける無線リンク問題が、発生する場合に処理される。
【図５】本明細書に開示された実施形態による、ＳｅＮＢのＳセルの追加または切り替え後にランダムアクセス手順の開始を図示する例示的な順序図であり、ここでＳセルは物理的アップリンク制御チャネル(ＰＵＣＣＨ)構成を有するＳセルである。
【図６】本明細書に開示された実施形態による、ＳｅＮＢのＳセルの追加または切り替えの間のランダムアクセス手順の開始を図示する例示的な順序図であり、ここでＳセルはＰＵＣＣＨ構成を有さないＳセルである。
【図７】本明細書に開示された実施形態による、ランダムアクセスチャネル（ＲＡＣＨ）失敗の処理ステップを図示する例示的な順序図である。
【図８】本明細書に開示された実施形態による、無線リンク制御(ＲＬＣ)エラーの処理ステップを図示する例示的な順序図である。
【図９】本明細書に開示された実施形態による、ＰＤＣＰプロトコルデータユニット（ＰＤＵ）でＵＥの共通ＰＤＣＰエンティティによりＵＥとＳセル間で識別される無線リンク問題を報告する方法を図示するフローチャート図である。
【図１０ａ】本明細書に開示された実施形態による、並列ランダムアクセスまたは順次的ランダムアクセスを使用してＭｅＮＢ及びＳｅＮＢに対するランダムアクセス手順を実行する方法を図示するフローチャート図である。
【図１０ｂ】本明細書に開示された実施形態による、並列ランダムアクセスまたは順次的ランダムアクセスを使用してＭｅＮＢ及びＳｅＮＢに対するランダムアクセス手順を実行する方法を図示するフローチャート図である。
【図１１】本明細書に開示された実施形態による、ＵＥから受信されるＣＱＩ報告書を使用してＵＥとＳセル間で識別されるダウンリンク無線リンク問題をＳｅＮＢに基づいて報告する方法を図示するフローチャート図である。
【発明を実施するための形態】
【００１９】
本明細書に記載された実施形態及び実施形態の多様な特徴及び有利な細部事項が次の詳細説明及び添付図面に図示された非限定実施形態を参照してより詳細に説明される。よく知らされた構成要素及び処理技術の説明は、本明細書に記載された実施形態を不必要にしないように省略される。本明細書で使用された例は、単に、本明細書に記載された実施形態が実施できる方法の理解を容易にし、当業者が本明細書に記載された実施形態を実施できるようにするためである。したがって、例は、本明細書に記載された実施形態の範囲を限定するものとして解釈されてはならない。
【００２０】
本明細書に記載された実施形態は、ｅＮＢ間搬送波集成を展開する無線ネットワークにおける動作の二重接続モードのためにユーザ端末（ＵＥ）を構成する方法及びシステムを達成する。上記方法は、ＵＥが第２のサービング周波数が割り当てられたＳｅＮＢの二次セル(Ｓセル）の追加及び切り替えの際に、ＳｅＮＢでランダムアクセス手順を開始できるようにする。ｅＮＢ間搬送波集成で、二重接続できるＵＥは、マスタｅＮＢ（ＭｅＮＢ）(すなわち、レガシｅＮＢ内搬送波集成モードにおけるサービング周波数の第１の集合)によりサービングされる一つ以上のサービング周波数及びＳｅＮＢ(すなわち、レガシｅＮＢ内搬送波集成モードにおけるサービング周波数の第２の集合)によりサービングされる一つ以上のサービング周波数で搬送波集成される。一般的な意味で、ＵＥに対する動作の二重接続モードは、ＭｅＮＢによりサービングされる搬送波周波数の第１の集合とＳｅＮＢによりサービングされる搬送波周波数の第２の集合の間に存在する。ＭｅＮＢは、理想的なバックホールリンクまたは非理想的なバックホールリンクにより特性化されるインターフェースでＳｅＮＢに接続される。特別な場合に、動作の二重接続モードで、ＳｅＮＢによりサービングされる第２の集合に一つの周波数及びＭｅＮＢによりサービングされる第１の集合に一つの周波数があり得る。
【００２１】
ＵＥが固定されるＭｅＮＢに関連する一つ以上のサービング周波数のうち、サービング周波数が割り当てられたセルは、一次セル(Ｐセル)、すなわちＵＥがＲＲＣ接続を確立したＭｅＮＢのサービング周波数である。一方、ＭｅＮＢに関連する他の全てのサービング周波数は、ＭｅＮＢの二次セル(Ｓセル)である。ＳｅＮＢに関連する一つ以上のサービング周波数が割り当てられたセルは、ＳｅＮＢの二次セル(Ｓセル)である。ＭｅＮＢによりサービングされるサービングセルの第１の集合は、マスタセルグループ（ＭＣＧ）と呼ばれ、ＳｅＮＢによりサービングされるサービングセルの第２の集合は、二次セルグループ（ＳＣＧ）と呼ばれる。また、ＳＣＧがＵＥに追加される度に、ＳｅＮＢのＳセルの一つは、ＰＵＣＣＨリソースを有するＳセルで言及されるＰＵＣＣＨリソース構成でプロビジョニングされ、ＳｅＮＢに属するＵＥの他の全てのＳセルはＰＵＣＣＨリソースを有さないＳセルで言及される。
【００２２】
動作の二重接続モードで構成されたＵＥによるｅＮＢ間搬送波集成シナリオで、ＵＥはＭｅＮＢ及びＳｅＮＢが地理的に分離されているためにＳｅＮＢに対する同期化を実行する必要がある。また、ＳｅＮＢ及びＭｅＮＢに対するデータ経路が分離されるために、ＵＥは、アップリンク同期化が実行される間ＳｅＮＢのＳセル構成の切り替えまたはアップリンク同期化が実行されるＳｅＮＢ(すなわち、第２のサービング周波数の集合)に属するＳセル構成の追加などのための特定の場合に独立的なランダムアクセス手順を開始する必要がある。
【００２３】
ＵＥによりＳセルで開始されるランダムアクセス手順が無線ネットワークの制御下で処理される、リリース１０/１１３ＧＰＰ規格に基づく既存のＬＴＥ−Ａとは違って、提案された方法は、ＵＥがＳｅＮＢのＳセルでランダムアクセス手順を自律的に開始できるようにする。上記方法は、ランダムアクセス手順がＳｅＮＢに属するＰＵＣＣＨ構成を有するＳセルの追加または切り替えの際に、ＵＥによりＳｅＮＢで開始される競合ベースランダムアクセス手順を提供する。上記方法は、ランダムアクセス手順がＳｅＮＢに属するＰＵＣＣＨ構成を有さないＳセルの追加または切り替えの際に、ＵＥによりＳｅＮＢで開始される競合なしのランダムアクセス手順を提供する。
【００２４】
ｅＮＢ間搬送波集成シナリオで、動作の二重接続モードで構成されたＵＥが競合ベースランダムアクセス手順を実行するように許可される度に、ＵＥが並列で２個のランダムアクセス手順を実行する必要がある状況が存在することがある。一つのランダムアクセス手順は、ＭｅＮＢで、他のランダムアクセス手順はＳｅＮＢで実行され得る。Ｓセルランダムアクセス開始は、無線ネットワークにおけるネットワークノードの制御下にあり、３ＧＰＰ規格のリリース１１におけるネットワークノードは、ＰセルとＳセルが両方とも同一ｅＮＢ(すなわち、同一無線ネットワークノード）の制御下にあるため、このような並列ランダムアクセスシナリオを防止できる。しかし、Ｐセル及びＳセルにおけるランダムアクセスが同一ｅＮＢ内に適当に調整されず、並列ランダムアクセスがトリガーされるｅＮＢの実現の場合は、３ＧＰＰ規格３６.３２１によって、このような同時ランダムアクセス手順を処理するＵＥの実現に従う。既存の方法と違って、提案された方法は、ＭｅＮＢで既にランダムアクセス手順が進行している時にＳｅＮＢのＳセルで競合ベースランダムアクセス手順を許可するために、同時ランダムアクセス手順の状況が発生する時、実現のためにＵＥ挙動を残す必要はない。上記方法は、ＵＥがＭｅＮＢ及びＳｅＮＢにおける現在のランダムアクセス手順状態に基づいて、並列ランダムアクセスまたは順次的ランダムアクセスを使用してＭｅＮＢ及びＳｅＮＢで必要なランダムアクセス手順を実行できるようにする。
【００２５】
また、ＵＥがＳセルで確立されるデータ無線ベアラを有するＳｅＮＢのＳセルによりサービングされるごとに、上記方法は、無線リンク問題を識別し、ＳｅＮＢのＳセルとＵＥ間におけるデータ無線ベアラ(ＥＰＳベアラ）で無線リンク失敗（ＲＬＦ）を検出することによってＲＬＦを処理するステップを提供する。
【００２６】
一実施形態で、上記方法は、ＵＥが検出されたＲＬＦで識別された原因を表示する原因値を有するＲＬＦ報告書を用意してＭｅＮＢに伝送できるようにする。ＵＥにより識別された原因は、ＵＥをサービングしているＰＵＣＣＨ構成を有するＳセルにおけるランダムアクセスチャネル（ＲＡＣＨ）失敗であり得る。識別された原因は、ＵＥをサービングするＳｅＮＢのＳセルで確立されるアップリンクデータ無線ベアラにおける無線リンク制御(ＲＬＣ)エラーであり得る。原因値は、ＲＬＦ報告書内でＭｅＮＢにＵＥにより伝送される。
【００２７】
一実施形態で、ＲＬＦ報告書は、新たな専用ＲＲＣメッセージ、既存のＲＲＣメッセージ、新たな媒体アクセス制御（ＭＡＣ）制御要素（ＣＥ）及び新たなパケットデータ制御プロトコル(ＰＤＣＰ)プロトコルデータユニット（ＰＤＵ）に伝送されることができる。
【００２８】
ＳｅＮＢのＳセルでＲＬＦの検出時、上記方法は、ＵＥがＭｅＮＢに対する無線リソース制御（ＲＲＣ）接続再確立手順を開始することを抑制し、ＳｅＮＢのＳセルに関連するデータ無線ベアラを一時中断するようにする。また、上記方法は、データ交換を再開するために、ＳｅＮＢのＳセルで、ＲＬＦから復元するためにＵＥにより実行される作業及び手順を提供する。
【００２９】
一実施形態で、ＭｅＮＢに伝送されるＲＬＦ報告書に応答して、上記方法は、ＵＥがダウンリンク方向に、ＭｅＮＢのＰセルで無線再構成媒介変数を含むＲＲＣ接続再構成メッセージを受信するようにする。ＲＲＣ接続再構成メッセージにおける媒介変数は、ＵＥが一時中断されたデータ無線ベアラを再確立することによって、ＳｅＮＢに関連する一時中断されたデータ無線ベアラを再開できるようにする。
【００３０】
ＳｅＮＢのＳセルにおけるＲＬＦの検出及びＭｅＮＢにＲＬＦを報告するステップに対する多様な実施形態は、ＵＥ、ＭｅＮＢ、及びＳｅＮＢで実現される二重接続プロトコルスタックの類型に基づく。プロトコルスタック実現は、ＥＰＳベアラが動作の二重接続モードのためにｅＮＢレベルで分割される分割データ無線ベアラ実現であり得る。他のプロトコルスタック実現は、ＥＰＳベアラが動作の二重接続モードのためにコアネットワークレベルで既に分割されるデータ無線ベアラ実現の非分割である。
【００３１】
一実施形態で、ＵＥは、携帯電話、タブレット、個人携帯情報端末機、パームトップ(palmtop)、ラップトップ、着用可能な装置、機械型通信装置または任意の通信装置であり得る。
【００３２】
図面、より具体的には、類似の参照番号が図面全体にわたって持続的に該当部品を表す図１乃至図１１を参照すると、好ましい実施形態が図示される。
【００３３】
図１は、本明細書に開示された実施形態による、動作の二重接続モードでユーザ端末（ＵＥ）に対するｅＮＢ間搬送波集成を展開する無線ネットワーク１００を図示する。図１に図示されたように、無線ネットワーク１００は、第１のｅＮＢとも言及されるＭｅＮＢ１０１、第２のｅＮＢとも言及されるＳｅＮＢ１０２、及びＵＥ１０３を含む。ＭｅＮＢは、一次セル(Ｐセル)１０４及び二次セル(Ｓセル)１０７を含むが、これに限定され、一つ以上のセルをサービングする。Ｐセル１０４は、ＭｅＮＢ１０１の一つ以上のサービング周波数(第１のサービング周波数の集合)からＰセル１０４に割り当てられる該当サービング周波数でＵＥ１０３をサービングする。
【００３４】
図１の例示的なシナリオで、帯域間搬送波集成で、ＵＥ１０３は、モビリティアンカとしての役割をし、カバレッジを提供する低い周波数帯域からのＭｅＮＢ１０１に関連する搬送波Ｆ１によりサービングされる。ＳｅＮＢ１０２のＳセル１０５に割り当てられる高い周波数帯域からのＳｅＮＢ１０２に関連する他の構成要素搬送波Ｆ２は、ＵＥに高いデータ率を提供する。ＭｅＮＢ１０１及びＳｅＮＢ１０２は、Ｘ２インターフェースのような非理想的なバックホールを通して接続される。ＳｅＮＢ１０２に関連するＳセル１０５は、構成要素搬送波Ｆ２でＵＥ１０３をサービングするＳセル１０５がＰＵＣＣＨリソース構成でロビジョニングされるようにＭｅＮＢ１０１により構成される。ＵＥ１０３に二重接続を提供できる無線ネットワーク１００で、ＳｅＮＢに属する一つ以上のＳセルに関連する一つ以上のサービング周波数は、サービング周波数の第２の集合から構成される。
【００３５】
３ＧＰＰ規格によって、ＵＥ１０３のデータ率は、ｅＮＢ内搬送波集成を展開することによってＭｅＮＢ１０１からのＳセル及び/またはｅＮＢ間搬送波集成を通してＳｅＮＢ１０２からの一つ以上のＳセルの追加により増加され得る。必要な時ごとに、ＭｅＮＢ１０１は、(ＰＵＣＣＨリソースを有する現在のＳセルである)Ｓセル１０５を候補Ｓセルとして切り替えすることができる。候補Ｓセルは、無線ネットワーク１００に存在するＳｅＮＢ１０２または他の候補ＳｅＮＢに属することができる。
【００３６】
図１は、単に一つのＳｅＮＢを図示するが、無線ネットワーク１００は、一つ以上のＳセルで各々動作する一つ以上のＳｅＮＢを含むことができることが当業者に理解される。
【００３７】
上記方法は、ＵＥ１０３が該当サービング周波数でＳｅＮＢ１０２に関連するＳセルの追加及び/または切り替えの際にＳｅＮＢでランダムアクセス手順を実行できるようにする。また、上記方法は、ＵＥ１０３がＭｅＮＢ１０１にＲＬＦを報告することによって、動作の二重接続モードでＵＥ１０３を現在サービングするＳｅＮＢ１０２のＳセルとＵＥ間におけるＲＬＦを処理できるようにする。また、上記方法は、ＵＥ１０３がＭｅＮＢ１０１からＲＲＣ再構成媒介変数を受信した後に、Ｓセル１０５におけるＲＬＦの検出によって一時中断されたデータ無線ベアラを再確立できるようにする。また、ＵＥ１０３は、ＭｅＮＢ１０１からのＲＲＣ接続再構成メッセージで受信される再構成媒介変数に基づいて、利用可能な複数のオプションのうち一つを使用して、一時中断されたデータ無線ベアラを再確立できる。
【００３８】
一実施形態で、無線ネットワーク１００は、ＬＴＥネットワークであるか、または、ＵＥに二重接続を提供するｅＮＢ間搬送波集成を展開する３ＧＰＰ無線アクセス技術（ＲＡＴ）または非-３ＧＰＰＲＡＴに基づく他のネットワークであり得る。
【００３９】
図２ａは、本明細書に開示された実施形態による、ＭｅＮＢ１０１により処理されるＤＲＢ１及びＳｅＮＢ１０２により処理されるＤＲＢ２がコアネットワークにおけるサービングゲートウェイ（ＳＧＷ）で分割される非分割データ無線ベアラ実現のためのマスタｅＮＢ（ＭｅＮＢ）及び二次ｅＮＢ（ＳｅＮＢ）における二重接続プロトコルスタックを図示する。図２ｂは、本明細書に開示された実施形態による、二重スタック、すなわちＭｅＮＢ１０１に関連するスタック及びＳｅＮＢ１０２に関連するスタックが存在する非分割データ無線ベアラ実現のためのＵＥ１０３における二重接続プロトコルスタック実現を図示する。ＵＥ１０３、ＭｅＮＢ１０１及びＳｅＮＢ１０２における二重接続プロトコルスタック実現に基づいて、上記方法は、プロトコルスタックの多様なエンティティによりＵＥ１０３とＳｅＮＢ１０２間におけるデータベアラでＲＬＦを処理する多様な実施形態を提供し、後で記述される。
【００４０】
図２ａは、無線リソース制御（ＲＲＣ）エンティティがＭｅＮＢ１０１のみに存在する非分割ベアラ実現のための３ＧＰＰ規格による二重接続プロトコルスタックを図示する。また、ＭｅＮＢ１０１における二重接続プロトコルスタックは、ＵＥ１０３とＰセル１０４間で確立されるデータ無線ベアラ(ＤＲＢ１)を処理するパケットデータ制御プロトコル(ＰＤＣＰ)エンティティ、無線リソース制御(ＲＬＣ)エンティティ、媒体アクセス制御(ＭＡＣ)エンティティを含む。ＳｅＮＢ１０２における二重接続プロトコルスタックは、ＭｅＮＢ１０１がモビリティアンカであるゆえに、ＲＲＣエンティティを含まない。ＳｅＮＢ１０２に対する二重接続プロトコルスタックは、ＵＥ１０３とＳセル１０５間におけるデータ無線ベアラ(ＤＲＢ２)を処理するＰＤＣＰエンティティ、ＲＬＣエンティティ及びＭＡＣエンティティを含む。
【００４１】
図２ｂは、ＵＥ１０３における非分割ベアラ実現のための３ＧＰＰ規格による二重接続プロトコルスタックを図示する。ＵＥ１０３は、ＭｅＮＢ１０１に関連するデータ無線ベアラ(ＤＲＢ１)及びＳｅＮＢ１０２に関連するデータ無線ベアラ(ＤＲＢ２)に対して各々一つずつ２個のプロトコルスタックの集合を含む通信インターフェースモジュール２０１を含む。ＭｅＮＢ１０１及びＳｅＮＢ１０２に対応するＵＥ１０３におけるプロトコルスタックは、ＭｅＮＢ１０１及びＳｅＮＢ１０２で該当プロトコルスタックを複製する。図２ｂに図示されるように、ＵＥ１０３で、一つのＲＲＣエンティティは、非分割ベアラ実現のためのＭｅＮＢ１０１に関連するプロトコルスタック及びＳｅＮＢ１０２に関連するプロトコルスタックに対して共通する。通信インターフェースモジュール２０１は、ＵＥ１０３がＭｅＮＢ１０１とＳｅＮＢ１０２のような無線ネットワーク１００のノードと通信できるようにする。ＵＥ１０３が、簡略性のために記述されない複数の機能を実行するための複数の他のモジュールを含む、ということが当業者は理解される。
【００４２】
ＵＥ１０３の動作の二重接続モードでは、図２ｂに図示されるように２個のユーザ平面（ＵＰ）スタック、すなわちＭｅＮＢ１０１に属する一つ及びＳｅＮＢに属する他の一つが存在する。一つは、一次スタックで言及され、他の一つは二次スタックで言及され得る。一次スタックは、構成されるＰセル１０４を有するｅＮＢにまたはＭｅＮＢに関連する構成を有する。二次スタックは、Ｐセル１０４を有するｅＮＢに属しないＳセル１０５またはＳｅＮＢに関連する構成を有する。これら２個のユーザ平面スタックを構成する他の方法は、(図２ａに図示されるようなコアネットワークレベルで)分割がＰＤＣＰレベル以上であるゆえに、一次ＰＤＣＰエンティティ及び二次ＰＤＣＰエンティティを通す。ＰＤＣＰエンティティが図３ｂにおいて後で図示されるように、ＵＥで共通ＰＤＣＰエンティティであるが分割が(図３ａで、後で図示されるようにＲＡＮレベルでＰＤＣＰエンティティ以下の)ＲＬＣレベルで実行される場合、上記が適用されることができる。無線リンク問題の処理のために、エラー表示が一次ＰＤＣＰエンティティに属する一つ以上のデータ無線ベアラに対するユーザ平面スタック(ＭｅＮＢに関連するＭＡＣエンティティまたはＲＬＣエンティティ）の下位階層により報告される場合、ＵＥ１０３はレガシ手順を実行することができる。エラー表示が共通ＰＤＣＰエンティティまたは二次ＰＤＣＰエンティティに属する一つ以上のデータ無線ベアラに対するユーザ平面スタック(ＭｅＮＢに関連するＭＡＣエンティティまたはＲＬＣエンティティ）の下位階層により報告される場合、本発明で提案された無線リンク問題を処理する新たな手順が実行されるべきである。
【００４３】
図３ａは、本明細書に開示された実施形態による、無線アクセスネットワークにおいてＭｅＮＢで分割されたＭｅＮＢ１０１によりＤＲＢ１が処理され、ＤＲＢ２もＭｅＮＢ１０１により処理される分割データ無線ベアラ実現のためのＭｅＮＢ及びＳｅＮＢにおける二重接続プロトコルスタックを図示する。図３ｂは、本明細書に開示された実施形態による、分割データ無線ベアラ実現のためのＵＥにおける二重接続プロトコルスタックを図示する。ＵＥ１０３、ＭｅＮＢ１０１及びＳｅＮＢ１０２における二重接続プロトコルスタック実現に基づいて、方法は、プロトコルスタックに多様なエンティティで、ＵＥ１０３とＳｅＮＢ１０２間のデータベアラでＲＬＦを処理する多様な実施形態を提供し、説明の後半部で説明される。
【００４４】
図３ａは、ＭｅＮＢ１０１における分割ベアラ実現のための３ＧＰＰ規格による二重接続プロトコルスタックを図示する。ＵＥ１０３、ＭｅＮＢ１０１及びＳｅＮＢ１０２における二重接続プロトコルスタック実現に基づいて、上記方法は、プロトコルスタックの多様なエンティティにより、ＵＥ１０３とＳｅＮＢ１０２間のデータベアラでＲＬＦを処理する多様な実施形態を提供し、説明の後半部で説明される。
【００４５】
図２ａに記述されるように、ＲＲＣエンティティは、二重接続のためにＭｅＮＢ１０１のみに存在する。また、図３ａに図示されるような分割ベアラ実現のために、ＲＲＣエンティティは、モビリティアンカであるゆえにＭｅＮＢ１０１のみにある。しかし、ＭｅＮＢ１０１には、ＭｅＮＢにより処理されるＤＲＢ１及びＤＲＢ２に各々関連する２個の別途のＰＤＣＰエンティティが存在する。ＤＲＢ２は、ＰＤＣＰエンティティの下方にＭｅＮＢ１０１で分割される一方、ＤＲＢ１は分割されず、ＤＲＢ２の一部ＰＤＣＰＰＤＵはＭｅＮＢ１０１のユーザ平面プロトコルスタックにより処理され、ＤＲＢ２の一部ＰＤＣＰＰＤＵは、ＳｅＮＢ１０２のユーザ平面プロトコルスタックにより各々処理される。ＤＲＢ２は、ＭｅＮＢ１０１にあるＰＤＣＰエンティティの下方に分割されるために、ＤＲＢ２を処理するＰＤＣＰエンティティは、ＭｅＮＢ１０１及びＳｅＮＢ１０２に対応する共通ＰＤＣＰエンティティである。したがって、ＳｅＮＢ１０２のプロトコルスタックは、ＤＲＢ２に対するＲＬＣエンティティ及びＭＡＣエンティティを含む。ＭｅＮＢ１０１におけるＭＡＣエンティティは、ＤＲＢ１及び分割されたＤＲＢ２を処理する共通エンティティであり、ＲＬＣエンティティはＤＲＢ１及び分割されたＤＲＢ２に対して独立的である。
【００４６】
図３ｂは、ＵＥ１０３における分割ベアラ実現のための３ＧＰＰ規格による二重接続プロトコルスタックを図示する。ＵＥ１０３で、通信インターフェースモジュール２０１は、２個のプロトコルスタック集合を含む。ＭｅＮＢ１０１に関連するデータ無線ベアラ(ＤＲＢ１)に対するプロトコルスタックは、ＲＲＣエンティティ、ＰＤＣＰエンティティ、ＲＬＣエンティティ及び共通ＭＡＣエンティティを含む。また、ＭｅＮＢ１０１に関連する分割データ無線ベアラ(ＤＲＢ２)に対するプロトコルスタックは、共通ＰＤＣＰエンティティと呼ばれるＳｅＮＢ１０２に関連するＰＤＣＰエンティティにより処理される。ＳｅＮＢ１０２に関連する分割データ無線ベアラ(ＤＲＢ２)を処理するＳｅＮＢ１０２に関連するプロトコルスタックは、ＲＬＣエンティティ、ＭＡＣエンティティ及び共通ＰＤＣＰエンティティを含む。
【００４７】
図４は、動作の二重接続モードのためにＵＥを構成し、以後ＳｅＮＢの二次セル(Ｓセル）の追加または切り替えの際にＳｅＮＢでランダムアクセス手順を開始する方法４００を図示するフローチャートである。また、ＳｅＮＢのＳセルのデータ無線ベアラで、無線リンク問題が発生する場合に本明細書に開示された実施形態により処理される。
【００４８】
方法４００は、理解の便宜のためにＳｅＮＢ１０２に関連する単に一つのＳセルの追加または切り替えのプロセスを説明する。しかし、ＵＥ１０３がそれぞれのＳセルのカバレッジ内にある時、適切な修正により、ＳｅＮＢ１０２の複数のＳセルの追加または切り替えのために上記方法が適用され得ることが当業者に理解される。
【００４９】
例えば、第１の集合からの搬送波周波数(すなわち、このような場合、第１の周波数)により及びＭｅＮＢ１０１に関連するＰセル１０４のみにより現在サービングされるＵＥ１０３は、動作の二重接続モードで動作するために第２の集合からの搬送波周波数(すなわち、このような場合、第２の搬送波周波数)によりサービングされ、ＳｅＭＢ１０２に関連するＳセル１０５だけを追加できる。ＳｅＮＢ１０２に関連するただ一つのＳセル１０５が存在するために、Ｓセル１０５はＰＵＣＣＨリソース構成でプロビジョニングされる。
【００５０】
しかし、ＰＵＣＣＨ構成を有するＳセル１０５の成功した追加時、ＵＥ１０３は、ＳｅＮＢ１０２からのＰＵＣＣＨ構成を有するＳセル１０５及びＭｅＮＢ１０１からのＰセルにより現在サービングされている。ＳｅＮＢ１０２の現在のサービングＳセルであるＳセル１０５は、同一ＳｅＮＢ１０２または一部の他のＳｅＮＢに属することができる他のＳセル(例えば、ＰＵＣＣＨリソースでプロビジョニングされたＳセル１０６のような適合した候補Ｓセル）に切り替えられる。Ｓセル１０５の切り替えは、ＵＥがＳセル１０５のカバレッジを損失するか、またはＳセルにおけるＰＵＣＣＨリソース負荷が高いなどのような多様な理由のためである。
【００５１】
他の状況で、ＵＥ１０３がＳｅＮＢ１０２からのＰＵＣＣＨ構成を有するＳセル１０５及びＭｅＮＢ１０１からのＰセル１０４によりサービングされる度に、ＵＥ１０３は、ＳｅＮＢ１０２のＳセル１０６を追加することによって周波数の第２の集合から相異なる周波数が割り当てられたＳセルにより追加的にサービングされ得る。このような場合、追加されるＳセル１０６はＰＵＣＣＨ構成を有さないＳセルである。
【００５２】
一実施形態で、上記方法は、ＵＥ１０３を現在サービングするＳｅＮＢのＳセルの構成の修正を許可する。しかし、修正はＲＲＣ接続再構成メッセージで受信される新たな構成を通して、相異なるＳｅＮＢに属する一つ以上のＳセルへのＵＥのサービングＳセルの現在のグループの切り替え、または、同一ＳｅＮＢに属する新たなＳセルへのＵＥの現在のサービングＳセルの切り替えを表示する。したがって、切り替え及び修正という用語は、相互交換的に使用され、切り替えは、新たなＳセルの追加及び既存Ｓセルの除去を意味する。ＳｅＮＢに関連するＵＥの現在のＳセルがＲＲＣ接続再構成メッセージで受信される新たな構成を通して他のＳセルに切り替えられないＳセル修正の特別な場合に、Ｓセル構成が除去され、ＵＥはＳｅＮＢ構成を除去でき、ＭｅＮＢで動作の単一接続モードで継続動作する。
【００５３】
Ｓセルの切り替えのためのステップは、Ｓセルの追加のためのステップと類似であり、当業者により理解されるような適合な修正を含むことができる。提案された方法は、簡潔性のためにＳセルの追加を参照してステップを記述する。
【００５４】
ステップ４０１で、方法４００は、第２のサービング周波数に関連するＳｅＮＢ１０２のＳセルの追加のためにＭｅＮＢ１０１の第１の周波数でサービングされるＰセル１０４からダウンリンク方向に構成を受信するようにＵＥ１０３を構成する。
【００５５】
一実施形態で、構成は、Ｓセル(例えば、ＳｅＮＢのＳセル１０５）を追加するためにＲＲＣメッセージでＵＥ１０３により受信される。追加されたＳセル１０５がＳｅＮＢ１０２に関連する唯一のＳセルであるごとに、Ｓセル１０５はＰＵＣＣＨリソース構成でプロビジョニングされる。
【００５６】
追加されるＳセル１０５に対するＰＵＣＣＨリソースのプロビジョニングは、ＲＲＣ接続再構成メッセージに含まれる。また、方法４００は、ＲＲＣ接続再構成メッセージに基づいて追加されている複数のＳセルをアクティブ化するために複数のステップを実行するようにＵＥ１０３を構成する。ＵＥ１０３が複数のＳセルをアクティブ化するために実行するステップは、追加されたＳセルがＰＵＣＣＨ構成を有するＳセルであるか、またはＰＵＣＣＨ構成を有さないＳセルであるかに基づく。ＳｅＮＢ１０２に関連する複数のＳセルを追加した後に、方法４００は、ＲＲＣ接続再構成メッセージで受信される構成媒介変数に基づいてＳｅＮＢ１０２に関連するユーザ平面プロトコルスタックのＰＤＣＰエンティティ、ＲＬＣエンティティ及びＭＡＣエンティティのような一つ以上のエンティティを確立するようにＵＥ１０３を構成する。
【００５７】
また、方法４００は、ＵＥでＳｅＮＢ構成の理解ステップを表示するためにＭｅＮＢ１０１のＰセル１０４にアップリンク方向にＲＲＣ再構成完了メッセージを伝送するようにＵＥ１０３を構成する。ステップは、図５及び図６において後で記述される。考慮中の例で、追加されたＳセル１０５は、ＳｅＮＢ１０２に関連する唯一のＳセルであり、ＰＵＣＣＨリソース構成でプロビジョニングされるために、Ｓセル１０５は、Ｓセル１０５を追加するために受信されるＲＲＣ再構成メッセージに基づいてＵＥ１０３でアクティブ化される。ステップ４０２で、方法は、ＳｅＮＢ１０２とのアップリンク同期化を達成するためにＳｅＮＢ１０２のＳセル１０５でランダムアクセス手順を開始するようにＵＥ１０３を構成する。
【００５８】
一般的な場合、方法はＵＥ１０３により受信されるＲＲＣ接続再構成メッセージが追加されるＳセルで、ＰＵＣＣＨリソースのプロビジョニングステップを含むか否かに基づいて追加されたＳセルがＰＵＣＣＨ構成を有するＳセルであるか否かを識別するようにＵＥ１０６を構成する。追加されたＳセル１０５がＰＵＣＣＨ構成を有するＳセルである場合、方法は、Ｓセル１０５に関連するＳｅＮＢ１０２で競合ベースランダムアクセスを自律的に開始するようにＵＥ１０３を構成する。
【００５９】
一実施形態で、追加されたＳセル１０５がＰＵＣＣＨ構成を有する場合、ＵＥ１０３は、ＳｅＮＢ１０２で競合ベースランダムアクセスを開始するように構成されることができる。
【００６０】
他の一つの実施形態で、追加されたＳセル１０５がＰＵＣＣＨ構成を有する場合、ＵＥ１０３は、ＳｅＮＢで競合なしのランダムアクセスを開始するように構成されることができる。
【００６１】
追加的なＳセルが追加される場合、ＵＥ１０３がＰＵＣＣＨ構成を有するＳセル１０５により既にサービングされている時、Ｓセル１０６のような追加されたＳセルはＰＵＣＣＨ構成を有さないＳセルである。他の場合、ＲＲＣ再構成メッセージを通して一つ以上のＳセル(ＳｅＮＢ１０２に属するＳセルのグループ）が追加される場合、最大一つのＳセル１０５がＰＵＣＣＨリソース構成でプロビジョニングされ、Ｓセル１０６のような他の追加されたＳセルは、ＰＵＣＣＨリソースを有さない。方法４００は、Ｓセル１０６に関連するＳｅＮＢ１０２で競合なしのランダムアクセスを開始するようにＵＥ１０３を構成する。
【００６２】
ＰＵＣＣＨ構成を有するＳセル１０５における競合ベースランダムアクセス及びＰＵＣＣＨ構成を有さないＳセル１０６における競合なしのランダムアクセスのためのステップは各々図５及び図６において後で記述される。
【００６３】
考慮下の例で、競合ベースランダムアクセスは、ＰＵＣＣＨ構成を有するアクティブ化されたＳセル１０５に対するアップリンク同期化のためにＵＥ１０３により自律的に実行される。
【００６４】
一実施形態で、競合ベースランダムアクセスは、Ｓセル１０５が追加され、アクティブ化される時に、最初にアップリンク同期化を達成するために、ＳｅＮＢ１０２のＰＵＣＣＨ構成を有するＳセル１０５に対してＵＥ１０３により自律的に実行される。競合ベースランダムアクセスの自律的な開始は、ＳｅＮＢ１０２へのアップリンクデータ伝送またはダウンリンクデータ到着通知によってトリガーされる。
【００６５】
ステップ４０３で、方法４００は、ＭｅＮＢ１０１にＵＥ１０３とＳセル１０５間における通信リンクの状態を伝送するようにＵＥ１０３を構成する。ＳｅＮＢ１０２のＳセル１０５で、ステップ４０３で開始される競合ベースランダムアクセス手順が成功する場合、方法４００は、ＭｅＮＢ１０１に状態における成功原因値を伝送するようにＵＥ１０３を構成する。ＳｅＮＢ１０２のＳセル１０５で、ステップ４０３で開始される競合ベースランダムアクセス手順が成功されない場合、方法４００は、ＭｅＮＢ１０１に状態における失敗原因値を伝送するようにＵＥ１０３を構成する。
【００６６】
一実施形態で、ＰＵＣＣＨ構成を有するアクティブ化されたＳセルにおける競合ベースランダムアクセス手順の状態がＲＲＣ接続再構成完了メッセージまたは新たな専用ＲＲＣメッセージで伝送されることができる。状態が新たな専用ＲＲＣメッセージで伝送されると、ＲＲＣ接続再構成完了メッセージがステップ４０１で説明された通りＳセルの追加後に伝送されるか、そうでないと、ＲＲＣ接続再構成完了メッセージはステップ４０３で伝送される。
【００６７】
ランダムアクセス手順の成功的な完了時、ステップ４０４で、方法４００は、ＳｅＮＢ１０２のＳセル１０５で一つ以上のデータ無線ベアラを確立するようにＵＥ１０３を構成する。ステップ４０１で受信されるＲＲＣ接続再構成メッセージで受信されるデータ無線ベアラ構成に基づいて一つ以上のデータ無線ベアラが確立される。また、方法４００は、確立された一つ以上のデータ無線ベアラにおけるデータ交換を実行するようにＵＥ１０３を構成する。ＵＥ１０３とＳｅＮＢ１０２間の一つ以上のデータ無線ベアラでデータが交換される間、アップリンク同期化がＵＥ１０３により損失され、アップリンクデータ伝送またはダウンリンクデータ到着に対するトリガーが存在する時、アップリンク同期化がＰＵＣＣＨ構成を有するアクティブ化されたＳセル１０５に対して実行される。アップリンク同期化は、関連するタイミングアドバンスタイマ（ＴＡＴ）の満了によってＵＥ１０３により損失されることがある。
【００６８】
また、ステップ４０５で、方法４００は、ＳｅＮＢ１０２のＳセル１０５で確立されたデータ無線ベアラで無線リンク問題を識別し、無線リンク問題を確認した後にＲＬＦを検出するようにＵＥ１０３を構成する。
【００６９】
無線リンク問題の識別及び確認は図７及び図８において後で詳細に記述される。
【００７０】
一実施形態で、Ｓセル１０５で競合ベースランダムアクセス手順が成功されない時、識別された無線リンク問題は、ＵＥ１０３におけるＭＡＣエンティティにより識別されるＰＵＣＣＨ構成を有するＳセル１０５におけるランダムアクセスチャネル失敗(ＲＡＣＨ失敗)であり得る。
【００７１】
一実施形態で、識別された無線リンク問題は、Ｓセル１０５で確立されたアップリンクデータ無線ベアラでＵＥ１０３のＳｅＮＢ１０２に関連するＲＬＣエンティティにより識別される無線リンク制御エラー(ＲＬＣエラー)である。しかし、上記方法は、ＵＥ１０３をサービングするＳセルがＳセル１０６のようにＰＵＣＣＨリソースを有さないＳセルである場合、アップリンクデータ無線ベアラが確立されるＳｅＮＢ１０２の他のＳセルでＲＬＣエラーを識別するようにＵＥ１０３を構成する。
【００７２】
ステップ４０６で、方法４００は、識別された無線リンク問題を無線リンク失敗（ＲＬＦ）として確認し、ＵＥ１０３をサービングするためにＰセル１０４に割り当てられるサービング周波数(第１のサービング周波数)からアップリンク方向にＭｅＮＢ１０１にＲＬＦを報告するようにＵＥ１０３を構成する。ＲＬＦを報告するステップは、ＭｅＮＢ１０１に対するＲＬＦ報告書を用意し、伝送するステップを含む。ＲＬＦ報告書のコンデンツは、検出されたＲＬＦがＲＬＣエラーであるか、または、ＲＡＣＨ失敗であるかに基づく。ＲＬＦ報告書は、図７及び図８において後で記述されるＲＬＦ-ＳｅＮＢに設定されるconnectionFailureTypeField、ＲＬＣエラーまたはＲＡＣＨ失敗に設定される原因値フィールドのような一つ以上の媒介変数を含む。ＲＬＦ報告書における媒介変数は、ＳｅＮＢ１０２に関連するＳセルに割り当てられたサービング周波数(第２のサービング周波数)によりサービングされる時、ＵＥ１０３により発生されるＲＬＦの類型に対してＭｅＮＢ１０１を表示する。
【００７３】
一実施形態で、ＲＬＦ報告書は、新たな専用ＲＲＣメッセージ、既存のＲＲＣメッセージ、新たな媒体アクセス制御要素(ＭＡＣ ＣＥ)、新たなパケットデータ制御プロトコル(ＰＤＣＰ)プロトコルデータユニット（ＰＤＵ）または類似の適合なメッセージでＭｅＮＢ１０１に伝送される。
【００７４】
一実施形態で、ＭｅＮＢ１０１に検出されたＲＬＦを報告するステップは、新たなＰＤＣＰＰＤＵを使用してＵＥ１０３のＰＤＣＰエンティティレベルで実行され、図１１に詳細に記述される。
【００７５】
一実施形態で、ＵＥ１０３により、ＭｅＮＢ１０１に発生したＲＬＦ-ＳｅＮＢを報告するステップは、ＵＥ１０３がＭｅＮＢ１０１に対するＲＲＣ接続再確立手順を開始するステップを抑制する。したがって、ＵＥ１０３は、ＲＬＦがＳｅＮＢ１０２のＳセルで検出されてもＭｅＮＢで確立されるデータ無線ベアラに対してＭｅＮＢ１０１とのデータ交換を継続実行する。ＲＬＦ-ＳｅＮＢが発生する場合、ＭｅＮＢ１０１に対するＲＲＣ再確立手順を開始することを抑制することによってサービス中断が防止される。
【００７６】
ＭｅＮＢ１０１のＰセル１０４で確立されるデータ無線ベアラで無線リンク問題が識別される時及び無線リンク問題を確認した後にＲＬＦ-ＭｅＮＢが検出される時、エラー表示がＭｅＮＢ１０１に関連するＵＥ１０３のＭＡＣエンティティまたはＲＬＣエンティティのような下位階層から報告される場合、ＵＥ１０３は、レガシ手順を実行することができる。レガシ手順は、ＵＥ１０３のＲＲＣエンティティによりトリガーされるＲＲＣ接続再確立手順を含む。
【００７７】
無線ネットワーク１００におけるＵＥ１０３の二重接続モード動作では、ユーザ平面スタックの下位階層から報告されるＲＬＣエラーを処理するためにＲＲＣエンティティによりＵＥでＳセルアソシエイション(association）を識別する必要がある。Ｐセルをまた有するＭｅＮＢに関連するＳセルで確立されるデータ無線ベアラで、ＲＬＣエラーが発生する場合、ＵＥ１０３は、(ＲＲＣ接続再確立のための)レガシ手順を実行することができる。(ｅＮＢ間搬送波集成の場合)Ｓセルを処理するｅＮＢがＰセルを処理するｅＮＢと相異なり、ＲＬＣエラーが下位階層から報告される場合、Ｐセル１０４におけるサービスの中断に繋がるためにＵＥ１０３はレガシ手順を再利用できない。
【００７８】
一実施形態で、図２ａ及び図２ｂに記述されるように非分割データ無線ベアラ二重接続プロトコルスタック実現のために、ＭｅＮＢ１０１にＲＬＦ報告書を伝送した後に、ＵＥ１０３は、ＳｅＮＢ１０２に関連する一つ以上のデータ無線ベアラを処理するＲＬＣエンティティ及びＰＤＣＰエンティティを一時中断する。また、ＵＥ１０３は、ＳｅＮＢ１０２に関連するＭＡＣエンティティを再設定し、ＰＤＣＣＨのモニターリングを中止させ、ＳｅＮＢへのアップリンク伝送を中止させる。
【００７９】
一実施形態で、図３ａ及び図３ｂに記述されるように分割ベアラデータ無線ベアラ二重接続プロトコルスタック実現のために、ＭｅＮＢ１０１にＲＬＦ報告書を伝送した後に、ＵＥ１０３は、ＭｅＮＢ１０１及びＳｅＮＢ１０２に関連する分割データ無線ベアラを処理する共通ＰＤＣＰエンティティの動作を維持しつつ、ＳｅＮＢ１０２に関連するデータ無線ベアラを処理するＲＬＣエンティティを一時中断する。これは、ＭｅＮＢ１０１で進行中であるサービスが影響をうけないということを保障する。また、ＵＥ１０３は、ＳｅＮＢ１０２に関連するＭＡＣエンティティを再設定する。ＭＡＣエンティティの再設定ステップはＰＤＣＣＨのモニターリングを中止させるステップ及びＳｅＮＢへのアップリンク伝送を中止させるステップを可能にする。
【００８０】
一実施形態で、ＭｅＮＢ１０１にＲＬＦ-ＳｅＮＢを報告するステップ及びＳｅＮＢに関連するプロトコルスタックを一時中断するステップは、ＵＥ１０３がＭｅＮＢ１０１におけるデータの中断を防止できるようにしてＭｅＮＢ１０１におけるデータ損失を効果的に防止できる。
【００８１】
ステップ４０７で、方法４００は、ＵＥ１０３により発生されるＲＬＦ-ＳｅＮＢから復元するためのステップを実行するようにＵＥ１０３を構成する。方法は、ＵＥ１０３により伝送されるＲＬＦ報告書に応答して、ＭｅＮＢ１０１からメッセージを受信するようにＵＥを構成する。方法４００は、ＭｅＮＢ１０１のＲＲＣエンティティからＲＬＦ報告書に対する応答メッセージを受信するようにＵＥ１０３を構成する。
【００８２】
一実施形態で、応答は、ＲＲＣ接続再構成メッセージで受信される。ＲＬＦ報告書に対する応答は、ＲＬＦ-ＳｅＮＢから復元するためにＵＥ１０３により実行される復元作業を表示する。また、復元作業は、ＭｅＮＢ１０１のＰセル１０４からダウンリンク方向にＲＲＣ接続再構成メッセージで受信される無線ベアラ再構成媒介変数に基づいて、ＳｅＮＢ１０２に関連するデータ無線ベアラを再確立するようにＵＥ１０３を構成するステップを含む。ＲＲＣ接続再構成メッセージは、ＳｅＮＢ構成の完全な除去またはＳｅＮＢ１０２に関連するＳセルの切り替えを含む。
【００８３】
一実施形態で、ＲＲＣ接続再構成メッセージの受信時、方法４００は、ＳｅＮＢ１０２の適合な候補Ｓセルまたは他の候補ＳｅＮＢの適合したＳセルのうち一つに対するアップリンク同期化のためにランダムアクセス手順を実行するようにＵＥ１０３を構成する。切り替えに適合したＳセルは、ＲＬＦが発生したＳｅＮＢに関連するデータ無線ベアラが今再確立されることができるＰＵＣＣＨ構成を有するＳセルである。
【００８４】
一実施形態で、ＲＲＣ接続再構成メッセージは、ＳｅＮＢ１０２に関連する一時中断されたデータ無線ベアラの構成を除去するステップ及びデータ無線ベアラを再確立するためにＲＲＣ接続再構成メッセージで受信される新たな構成を適用するステップを含む、しかしこれに限定されない、一つ以上の作業(復元作業)を実行するＵＥを表示する無線再構成媒介変数を含む。また、一つ以上の作業は、無線ネットワーク１００でＳｅＮＢ１０２の適合した候補Ｓセルまたは他の適合した候補ＳｅＮＢの一つ以上のＳセルに、一般的な場合には複数のＳセルを切り替えし、特別な場合には、ＰＵＣＣＨリソースでプロビジョニングされたＳセル１０５を切り替えするステップを含むがこれに限定されるものではない。
【００８５】
他の実施形態で、復元作業はＲＬＦが検出されたＳセル１０５を非アクティブ化するようにＵＥ１０３を構成するステップを含む。
【００８６】
一実施形態で、復元作業はＲＲＣ接続再構成メッセージで受信される再構成媒介変数が適合した切り替え候補Ｓセルまたは他の適合した候補ＳｅＮＢを含まない場合ＳｅＮＢ１０２に関連する構成を除去するようにＵＥ１０３を構成するステップを含む。このような場合、データ無線ベアラは、以後ＭｅＮＢ１０１で再確立される。
【００８７】
ＳｅＮＢ１０２に関連する構成の除去ステップに関連する手順は、二重接続プロトコルスタックの非分割無線ベアラ実現のためにＳｅＮＢ１０２に関連するＵＥ１０３のＰＤＣＰエンティティ、ＲＬＣエンティティ及びＭＡＣエンティティを除去するステップを含む。二重接続プロトコルスタックの分割無線ベアラ実現の場合に、ＳｅＮＢ１０２に関連する構成の除去ステップに関連する手順は、ＳｅＮＢ１０２に関連するＵＥ１０３のＲＬＣエンティティ及びＭＡＣエンティティを除去するステップを含む。また、方法４００は、一つ以上の一時中断されたデータ無線ベアラの構成を除去し、ＭｅＮＢ１０１自体、またはＳｅＮＢ１０２または他の適合した候補ＳｅＮＢの適合した候補Ｓセルで、一つ以上の一時中断されたデータ無線ベアラを再確立するための新たな構成を適用するようにＵＥ１０３を構成する。
【００８８】
一実施形態で、一つ以上の一時中断されたデータ無線ベアラは、ＭｅＮＢ１０１からダウンリンク方向に、ＲＲＣ接続再構成メッセージで受信される無線ベアラ再構成媒介変数に基づいて、ＭｅＮＢの候補サービングセル(例えば、ＭｅＮＢ１０１のＳセル１０７)またはＭｅＮＢ１０１のＰセル１０４で再確立されることができる。一時中断された一つ以上のデータ無線ベアラは、一時中断されたデータ無線ベアラの現在の構成を除去し、一時中断されたデータ無線ベアラを再確立するためにＲＲＣ接続再構成メッセージで受信される新たな構成を適用した後に再確立される。
【００８９】
一実施形態で、一時中断された一つ以上のデータ無線ベアラが任意の他の適合した候補ＳｅＮＢの適合したＳセルまたはＳｅＮＢ１０２の適合した候補ＳセルにＰＵＣＣＨ構成を有するＳセル１０５を切り替えすることによって再開される。データ無線ベアラの再開ステップは、二重接続プロトコルスタックの非分割無線ベアラ実現のために、ＵＥ１０３におけるＲＬＣエンティティ及びＰＤＣＰエンティティを再確立するステップを含む。二重接続プロトコルスタックの分割無線ベアラ実現の場合に、データ無線ベアラの再開ステップは、ＵＥ１０３におけるＲＬＣエンティティを再確立するステップを含む。切り替えに適合した候補Ｓセルは、ＭｅＮＢ１０１からダウンリンク方向へのＲＲＣ接続再構成メッセージに含まれたＰＵＣＣＨリソース構成に基づいてＰＵＣＣＨリソースでプロビジョニングされる。
【００９０】
方法４００で多様な作業、行動、ブロック、ステップなどは提示された順序で、相異なる順序で、または同時に実行できる。また、一部実施形態で、一部作業、行動、ブロック、ステップなどは本発明の範囲を逸脱せずに省略、追加、修正、及びスキップされることができる。
【００９１】
図５は、本明細書に開示された実施形態による、物理的アップリンク制御チャネル(ＰＵＣＣＨ)構成を有するＳセルの追加または切り替え後、ランダムアクセス手順の開始を図示する例示的な順序図である。図５は、ＭｅＮＢ１０１のＰセル１０４、ＵＥ１０３、及びＰＵＣＣＨ構成を有するＳセル１０５を有するＳｅＮＢ１０２を図示する。ＵＥ１０３は、受信されたＲＲＣ接続再構成メッセージに基づいて、ＰＵＣＣＨ構成を有するＳセルの切り替えまたはＳセル１０５の追加後にＳｅＮＢ１０２に対する競合ベースランダムアクセス手順を実行する。ＰＵＣＣＨ構成でプロビジョニングされた現在のサービングセルを、ＰＵＣＣＨ構成を有する他の適合したＳセルに切り替えするためのステップは、適合した修正を含むか、または追加のために図示されたステップと類似であり、簡略性のために反復されない。
【００９２】
ＵＥは、ＳｅＮＢ１０２に関連するＰＵＣＣＨ構成を有するＳセルの追加または切り替えのためにＲＲＣ接続再構成メッセージを受信する（５０１）。ＵＥ１０３は、第２のサービング周波数(サービング周波数の第２の集合からの周波数)が割り当てられたＰＵＣＣＨ構成でプロビジョニングされたＳｅＮＢ１０２に関連するＳセル１０５を追加し、構成を適用することによってＲＲＣ接続再構成メッセージで受信される構成を理解する。Ｐセルサービングがサービング周波数の第１の集合から割り当てられるために、Ｓセル１０５のサービング周波数はＰセル１０４のサービング周波数と相異する。ＲＲＣ接続再構成メッセージは、ＰＵＣＣＨ構成を有するＳセル１０５で確立される一つ以上のデータ無線ベアラに対する一つ以上のデータ無線ベアラ構成、下位階層エンティティを確立するための構成媒介変数、及び第２のｅＮＢに使用される一時的Ｃ−ＲＮＴＩをプロビジョニングする。また、Ｐセル１０４から受信されたＲＲＣ接続再構成メッセージに基づいてＳセル１０５を追加した後に、ＵＥ１０３は、ＵＥ１０３が構成を理解するということを表示するためにＭｅＮＢ１０１のＰセル１０４にアップリンク方向にＲＲＣ接続再構成完了メッセージを伝送する（５０２）。
【００９３】
一実施形態で、ＭｅＮＢ１０１は、ＭＡＣ ＣＥでＵＥ１０３に一時的Ｃ−ＲＮＴＩ（Ｔ−ＣＲＮＴＩ）を選択的に提供できる。他の実施形態で、ＭｅＮＢ１０１は、ＳｅＮＢ１０２にＵＥ１０３におけるＳセルの追加及びアクティブ化を通知し、Ｘ２インターフェースでＵＥのＳＡＥ一時的モバイル加入者アイデンティティ（Ｓ−ＴＭＳＩ）と共にＵＥに提供されるＴ−ＣＲＮＴＩを伝送する。
【００９４】
一実施形態で、新たな情報要素（ＩＥ）がデータ無線ベアラ情報と共にＰセル１０４により追加されることができる。ＭｅＮＢ１０１に属しようがＳｅＮＢ１０２に属しようがＰセル１０４は、データ無線ベアラのセットアップ時にベアラ情報と共に新たなＩＥを追加できる。データ無線ベアラ情報に対するＩＥは、一次ｅＮＢがＰセル１０４を有するｅＮＢである第１のｅＮＢまたは一次ｅＮＢまたはＭｅＮＢ１０１に関連して定義されることができる。データ無線ベアラ情報に対するＩＥは、第２のｅＮＢまたは二次ｅＮＢまたはＳｅＮＢ１０２に関連して定義されることができる。ＩＥを定義する他の方法は、マスタまたは従属ＩＥに基づき、ここでマスタＩＥはＭｅＮＢ１０１に属し、従属ＩＥはＳｅＮＢ１０２に関連することができる。これはＵＥがベアラの特定集合がＭｅＮＢに属しているのか、またはＳｅＮＢに属しているのかを識別できるようにする。
【００９５】
他の実施形態で、ＰセルからのＲＲＣ再構成メッセージに含まれたデータ無線ベアラ構成は、ＭｅＮＢ及びＳｅＮＢで確立される一つ以上のデータ無線ベアラに対する別途の情報要素（ＩＥ）を含む。例えば、Ｐセル１０４は、新たなIE primary-DRB-ToAddModList及びsecondary-DRB-ToAddModListを含むことができる。primary-DRB-ToAddModListは、Ｐセル１０４が属する第１のｅＮＢにまたはＭｅＮＢ１０１に属するデータ無線ベアラ構成であり、ＥＰＳベアラとマッピングするステップ及び無線ベアラアイデンティティを含む。secondary-DRB-ToAddModListは、Ｓセル１０５及び/またはＳセル１０６が属する第２のｅＮＢにまたはＳｅＮＢ１０２に属するデータ無線ベアラ構成であり、ＥＰＳベアラとマッピングするステップ及び無線ベアラアイデンティティを含む。
【００９６】
以後、ＵＥ１０３は、受信されたＲＲＣ接続再構成メッセージ５０１に基づいて、ＵＥ１０３内のＳセル１０５をアクティブ化する。最初に、Ｓセル１０５が追加されてアクティブ化される時、Ｓセル１０５のアクティブ化で、ＵＥ１０３(具体的に、ＵＥ１０３内のＳｅＮＢ１０２に関連するＭＡＣエンティティ）は、ＳｅＮＢ１０２に対するアップリンク同期化のためにアクティブ化されたＳセル１０５に対する競合ベースランダムアクセス手順を自律的に開始する。競合ベースランダムアクセスの自律的な開始は、ＳｅＮＢ１０２へのアップリンクデータ伝送またはダウンリンクデータ到着通知によってトリガーされる。競合ベースランダムアクセス手順は、ＳｅＮＢ１０２に関連するＳセル１０５の決定された物理的ランダムアクセスチャネル（ＰＲＡＣＨ）リソースからランダムに選択されたランダムアクセス（ＲＡ）プリアンブルの伝送（５０３）を開始することによって、ＵＥ１０３により実行される。また、ＵＥ１０３は、ランダムアクセス応答（ＲＡＲ）メッセージの受信のためにＳｅＮＢ１０２に関連するＳセル１０５の物理的ダウンリンク制御チャネル(ＰＤＣＣＨ)領域の共通検索空間をモニターリングする。ＵＥ１０３は、Ｓセル１０５からダウンリンク方向にＲＡＲメッセージを受信し５０４、ＵＥ１０３は、決定されたＰＲＡＣＨに関連するランダムアクセス無線ネットワーク一時的識別子（ＲＡ−ＲＮＴＩ）を使用してＲＡＲメッセージをデコーディングする。ステップ５０４で受信されたＲＡＲメッセージをデコーディングした後、ＵＥ１０３は、ステップ５０３で、ＲＡプリアンブル伝送に応答してアップリンクグラント、ランダムアクセスプリアンブル識別子、選択的に一時的Ｃ−ＲＮＴＩ及びアップリンクタイミングアドバンス情報を受信する。以後、アップリンクグラントは、競合解決のためのメッセージ(メッセージ３)を伝送するためにＵＥ１０３により使用され、アップリンクタイミングアドバンス情報は、ＳｅＮＢ１０２に対するアップリンク同期化に使用される。ＵＥ１０３は、ＲＡＲメッセージ５０４で提供されるアップリンクグラントに基づいてアップリンク方向に競合解決のためのＵＥアイデンティティを含む競合解決のためのメッセージ(ランダムアクセスメッセージ３)を伝送する５０５。ＵＥアイデンティティは、ステップ５０１においてＲＲＣ接続再構成メッセージで受信される及び/またはステップ５０４においてＲＡＲメッセージで受信されるＴ−ＣＲＮＴＩであるか、ＵＥによりランダムに選択される他のアイデンティティであり得る。ＵＥ１０３は、要請メッセージ(ランダムアクセスメッセージ３)でＵＥ１０３により伝送される同一ＵＥアイデンティティを再受信し、一時的Ｃ−ＲＮＴＩを使用して競合解決メッセージをデコーディングすることで競合を解決するために、ＳｅＮＢ１０２からダウンリンク方向に競合解決メッセージ(ランダムアクセスメッセージ４)を受信する(５０６)。
【００９７】
一実施形態で、一時的Ｃ−ＲＮＴＩは、ＲＲＣ再構成メッセージ及び/またはＲＡＲメッセージで受信される。
【００９８】
ステップ５０６で競合解決メッセージを受信した後に、ＵＥ１０３は、成功的にランダムアクセス手順を完了する。ステップ５０３でＲＡプリアンブルを伝送した後に、ステップ５０４でＵＥがＲＡＲメッセージを受信されない可能性がある。ＳｅＮＢ１０２に対するランダムアクセス手順の成功または失敗によって、ＵＥ１０３はＭｅＮＢ１０１にランダムアクセス手順の状態を伝送する（５０７）。
【００９９】
一実施形態で、ランダムアクセス手順の状態は、既存メッセージまたは新たな専用ＲＲＣメッセージで伝送されることができる。ＭｅＮＢ１０１のＰセル１０４に、ステップ５０７で伝送される状態メッセージは、新たな専用ＲＲＣメッセージで伝送されることができる。
【０１００】
一実施形態で、ＲＲＣ接続再構成完了メッセージがランダムアクセス手順の状態を伝送するために使用される場合、ＲＲＣ接続再構成完了メッセージの伝送は、ステップ５０２で実行されない。このような場合、ＲＲＣ接続再構成メッセージの伝送は、ステップ５０６における競合解決メッセージの受信まで遅延される。このような場合、ＵＥ１０３は、ステップ５０７においてＲＲＣ接続再構成完了メッセージでランダムアクセス手順の状態を伝送できる。
【０１０１】
状態は、ＳｅＮＢ１０２に対して、ＵＥ１０３により開始されるランダムアクセス手順の成功または失敗を表示する原因値を使用して提供される。ランダムアクセス手順が成功すると、成功原因値が状態で伝送される。また、ＵＥ１０３がステップ５０６で競合解決メッセージを成功的に受信した後に、ＵＥ１０３は、ステップ５０４においてＲＡＲメッセージで及び/またはステップ５０１においてＲＲＣ接続再構成メッセージで受信される一時的Ｃ−ＲＮＴＩの値にＣ−ＲＮＴＩを設定する。Ｃ−ＲＮＴＩは、ＳｅＮＢ１０２とのデータ交換のためにＵＥ１０３により使用され、ＭｅＮＢ１０１とのデータ交換のためにＭｅＮＢ１０１によりＵＥに割り当てられるＣ−ＲＮＴＩとは相異する。また、ＵＥ１０３は、ステップ５０１においてＲＲＣ接続再構成メッセージで受信されるデータ無線ベアラ構成に基づいて、ＰＵＣＣＨ構成を有するＳセル１０５で、一つ以上のデータ無線ベアラを確立する。データ無線構成(secondary-drb-ToAddModList）は、ＳｅＮＢ１０２に関連するＰＵＣＣＨ構成を有するＳセル１０５で確立されるデータ無線ベアラに対応するデータ無線ベアラアイデンティティを含む。データ無線ベアラアイデンティティは、各々ＭｅＮＢ１０１及びＳｅＮＢ１０２で確立されるデータ無線ベアラに対して固有である。また、ＵＥ１０３は、ステップ５０１においてＲＲＣ接続再構成メッセージで及び/またはステップ５０４においてＲＡＲメッセージで受信される一時的Ｃ−ＲＮＴＩの値に設定されるＣ−ＲＮＴＩを使用して、確立された一つ以上のデータ無線ベアラでデータ交換を実行する（５０８）。Ｓセル１０５に関連する第２のサービング周波数で、ＳｅＮＢによりスケジューリングされる物理的ダウンリンク共有チャネル（ＰＤＳＣＨ）のデコーディングは、ＭｅＮＢ１０１に関連するＣ−ＲＮＴＩと相異しＳｅＮＢ１０２に関連するＣ−ＲＮＴＩを使用して実行される。
【０１０２】
ＳｅＮＢ１０２とのデータ交換を実行する間、ＵＥ１０３がＰＵＣＣＨ構成を有するＳセルに対するアップリンク同期化を外し、アップリンクデータ伝送またはダウンリンクデータ到着に対するトリガーが存在する時、ＵＥ１０３は競合ベースランダムアクセス手順を開始できる。ＵＥは、ランダムアクセス手順のステップ５０３乃至ステップ５０６を実行し、ランダムアクセス（ＲＡＣＨ）手順の状態によって、状態メッセージがＭｅＮＢ１０１に伝送される。ＲＡＣＨの失敗状態の伝送ステップは必須であるが、ＲＡＣＨの成功状態の伝送ステップは選択である。ＲＡＣＨ失敗は、ＲＬＦとして検出され、図５のステップ５０７は図４のステップ４０６に対応する。ＲＡＣＨ失敗状態を受信すると、ＭｅＮＢ１０１は、図４のステップ４０７に図示されたように復元手順を呼び出しする。
【０１０３】
図６は、本明細書に開示された実施形態による、ＰＵＣＣＨ構成を有さないＳセルの追加または切り替え後、ランダムアクセス手順の開始を図示する例示的な順序図である。図６は、ＭｅＮＢ１０１のＰセル１０４、ＵＥ１０３、及びＰＵＣＣＨ構成を有さないＳセル１０６を有するＳｅＮＢ１０２を図示する。ＵＥ１０３がＳｅＮＢ１０２に関連するＰＵＣＣＨ構成を有するＳセル１０５により既に現在サービングされている時、ＵＥ１０３は、ＰＵＣＣＨ構成を有さないＳセル１０６の追加後、競合なしのランダムアクセス手順を実行する。
【０１０４】
Ｓセル１０５及びＳセル１０６のタイムアドバンスグループ（ＴＡＧ）が相異なる場合、ランダムアクセス手順はＳセル１０６のみで実行されることができる。Ｓセル１０６を追加する間、ＲＲＣ接続再構成メッセージ（６０１）に基づいて、構成がＳセル１０６がＳセル１０５と同一のＴＡＧに属するということを表示すると、Ｓセル１０６でランダムアクセス手順を実行する必要がない。このような場合、(図５で説明された)Ｓセル１０５におけるランダムアクセス手順に基づいて、ＲＡＲメッセージ５０４で受信されるアップリンクタイミング情報がアップリンク同期化を達成するためにＳセル１０６に適用される。
【０１０５】
図６は、ＰＵＣＣＨ構成を有するＳセル１０５及びＰＵＣＣＨ構成を有さないＳセル１０６が相異なるＴＡＧに属する場合の一例を考慮する。追加されるＳセル１０６は、ＰＵＣＣＨリソースを有さないＳセルであり、したがって、追加が実行された以後、Ｓセル１０６に関連するＳｅＮＢ１０２における競合なしのランダムアクセス手順の開始は次に説明される。ＵＥ１０３は、ＳｅＮＢ１０２に関連するＰＵＣＣＨリソースを有さないＳセル１０６の追加を表示するＲＲＣ接続再構成メッセージを受信する（６０１）。ＵＥ１０３は、受信されたＲＲＣ接続再構成メッセージに基づいて周波数の第２の集合からサービング周波数の一つが割り当てられたＳセル１０６を追加し、理解する(構成を適用する)。ＲＲＣ接続再構成メッセージは、ＰＵＣＣＨ構成を有さないＳセルで確立される一つ以上のデータ無線ベアラに対するデータ無線ベアラ構成、下位階層エンティティを確立するための構成媒介変数及びＳｅＮＢ１０２に使用される一時的Ｃ−ＲＮＴＩをプロビジョニングする。Ｓセル１０６のサービング周波数及びＳセル１０５のサービング周波数は、サービング周波数の第２の集合から割り当てられるが、これらは相異するものである。Ｓセル１０６を追加した後に、ＵＥ１０３は、ＲＲＣ接続再構成メッセージで受信された構成媒介変数に基づいて、ＳｅＮＢ１０２に関連するユーザ平面プロトコルスタックのＲＬＣエンティティまたはＰＤＣＰエンティティを確立する。また、ＵＥ１０３は、ＵＥ１０３が構成を理解するということを表示するために、ＭｅＮＢ１０１のＰセル１０４にアップリンク方向にＲＲＣ接続構成完了メッセージを伝送する（６０２）。ＰＵＣＣＨ構成を有さないＳセル１０６は、ＭｅＮＢ１０１からＭＡＣ ＣＥの受信以後のみにＵＥ１０３でアクティブ化される。Ｓセル１０６をアクティブ化するためにＭＡＣ ＣＥがＳｅＮＢ１０２のＳセル１０５から受信されることができる。ＵＥ１０３は、Ｓセル１０６をアクティブ化するためにＭＡＣ ＣＥを受信する（６０３）。ＭＡＣ ＣＥを受信すると、ステップ６０１においてＲＲＣ接続再構成メッセージで受信されるデータベアラ構成媒介変数に基づいて、Ｓセル１０６で、一つ以上のデータ無線ベアラの確立のためにＵＥ１０３によりＳセルがアクティブ化される。Ｐセル１０４からのＲＲＣ再構成メッセージに含まれたデータ無線ベアラ構成媒介変数は、ＳｅＮＢ１０２のＳセル１０６で確立されるそれぞれのベアラの固有アイデンティティ及び一つ以上のデータ無線ベアラに対するsecondary-DRB-ToAddModListを含む。
【０１０６】
一実施形態で、ＵＥでＰＵＣＣＨ構成を有さないＳセルをアクティブ化するためにＭＡＣ ＣＥがＳｅＮＢのＰＵＣＣＨ構成を有するアクティブ化されたＳセルまたはＭｅＮＢのＰセルから受信されることができる。
【０１０７】
Ｓセル１０６のＴＡＧがＳセル１０５のＴＡＧと相異なり、無線ネットワークノードからＰＵＣＣＨ順序の伝送で開始される時、競合なしのランダムアクセス手順はアクティブ化されたＳセル１０６で実行できる。
【０１０８】
一実施形態で、ＳｅＮＢ１０２は、ＵＥがＳｅＮＢ１０２に対する競合なしのランダムアクセスを開始できるようにＵＥ１０３に現在のサービングＳセル１０５でＰＤＣＣＨ順序を伝送する（６０４）。
【０１０９】
他の実施形態で、ＭｅＮＢ１０１は、ＵＥがＳｅＮＢ１０２に対する競合なしのランダムアクセス手順を開始できるように現在のサービングＰセル１０４でＵＥ１０３にＰＤＣＣＨ順序を伝送できる。
【０１１０】
ＰＤＣＣＨ順序で、ＵＥ１０３には決定されたＰＲＡＣＨリソースでＳｅＮＢ１０２のアクティブ化されたＳセル１０６への伝送に使用されることができる専用ランダムアクセス（ＲＡ）プリアンブルが提供される。
【０１１１】
ＰＤＣＣＨ順序の受信後に、ＵＥ１０３は、決定されたＰＲＡＣＨリソースでＳｅＮＢ１０２のＳセル１０６への割り当てられたＲＡプリアンブル（専用ＲＡプリアンブル）の伝送を開始する（６０５）。
【０１１２】
ＵＥ１０３は、ＳｅＮＢ１０２からのＲＡＲメッセージ受信（６０６）のためで、ＵＥ１０３の現在のサービングＳセルである、ＳｅＮＢ１０２に関連するＰＵＣＣＨ構成を有するＳセル１０５のＰＤＣＣＨ領域の共通検索空間をモニターリングする。
【０１１３】
ＵＥ１０３は、ＰＲＡＣＨに関連するＲＡ−ＲＮＴＩを使用してＳｅＮＢ１０２からダウンリンク方向に受信されるＲＡＲメッセージをデコーディングする。ＲＡＲメッセージは、割り当てられたＲＡプリアンブル伝送に応答してアップリンクグラント及び/またはアップリンクタイミングアドバンス情報を含む。ステップ６０６で、ＲＡＲメッセージを受信した後に、ＵＥ１０３は、成功的にランダムアクセス手順を完了する。ステップ６０５で、ＲＡプリアンブルを伝送した後に、幾つかＵＥがステップ６０６でＲＡＲメッセージを受信されない場合、ランダムアクセス手順は、ステップ６０５及びステップ６０６の間に、特に失敗する可能性がある。ＳｅＮＢ１０２に対するランダムアクセス手順の成功または失敗によって、ＵＥ１０３は、成功または失敗原因値を表示する新たな専用ＲＲＣメッセージまたはＲＲＣ接続再構成完了メッセージでＭｅＮＢ１０１にランダムアクセス手順の状態を伝送する（６０７）。
【０１１４】
ＳｅＮＢ１０２のＳセル１０６で競合なしのランダムアクセス手順の成功的な完了後に、ＵＥ１０３は、ステップ６０１においてＲＲＣ接続再構成メッセージで受信されるデータ無線ベアラ構成に基づいて、アクティブ化されたＳセル１０６で一つ以上のデータ無線ベアラを確立する。また、ＵＥ１０３は、Ｓセル１０６に関連する第２のサービング周波数でＳｅＮＢdpによりスケジューリングされる物理的ダウンリンク共有チャネル（ＰＤＳＣＨ）のデコーディングがＳｅＮＢ１０２のＳセル１０５に対する以前の競合ベースランダムアクセス手順間ＵＥ１０３に割り当てられたＣ−ＲＮＴＩを使用して実行される、確立されたデータ無線ベアラでデータ交換を実行する（６０８）。
【０１１５】
図７は、本明細書に開示された実施形態による、ランダムアクセスチャネル（ＲＡＣＨ）失敗の処理ステップを図示する例示的な順序図である。図７は、Ｐセル１０４を有するＭｅＮＢ１０１、Ｓセル１０５を有するＳｅＮＢ１０２、ＳｅＮＢに関連するＭＡＣエンティティ及びＲＲＣエンティティを有するＵＥ１０３を図示する。図７は、ＵＥ１０３が第１のサービング周波数が割り当てられたＭｅＮＢ１０１のＰセル１０４でＥＰＳベアラ１（７０１）にマッピングされる確立されたデータ無線ベアラを有する２個のセルによりサービングされる、動作の二重接続モードのために構成されているＵＥ１０３を図示する。ＥＰＳベアラ２７０２にマッピングされる他のデータ無線ベアラは、第２のサービング周波数が割り当てられたＳｅＮＢ１０２のＰＵＣＣＨ構成を有するＳセル１０５で確立される。
【０１１６】
ＵＥ１０３とＳｅＮＢ１０２間で確立されるデータ無線ベアラ７０２でデータが交換される間、アップリンク同期化がＵＥ１０３により損失され、データ無線ベアラ７０２に対するアップリンクデータ伝送またはダウンリンクデータ到着に対するトリガーが存在する時、ＰＵＣＣＨ構成を有するアクティブ化されたＳセル１０５に対してアップリンク同期化が実行される。アップリンク同期化は、Ｓセル１０５のＴＡＧに関連するタイミングアドバンスタイマ（ＴＡＴ）の満了によってＵＥ１０３により損失される。
【０１１７】
ＵＥ１０３は、ＳｅＮＢ１０２へのプリアンブル伝送を実行する（７０３）（このステップは、図５のステップ５０３と同一である)。ＵＥ１０３のＭＡＣエンティティは、プリアンブル伝送カウンターが臨界プリアンブル伝送回数を超過するか否かを確認する。プリアンブル伝送カウンターが予め定義されたプリアンブル伝送回数内にあると決定されると、図５のステップ５０４、ステップ５０５、及びステップ５０６でランダムアクセス手順が続いて成功的に完了する。しかし、プリアンブル伝送カウンターが予め定義されたプリアンブル伝送回数を超過すると決定されると、ランダムアクセス手順は成功されない。ランダムアクセス手順が成功されないと、ＳｅＮＢ１０２に関連するＵＥ１０３のＭＡＣエンティティは、ＲＡＣＨ失敗として無線リンク問題を表示することによって、成功されないランダムアクセス手順による無線リンク問題に対してＵＥ１０３のＲＲＣエンティティを表示する（７０４）。ＵＥ１０３のＲＲＣエンティティは、ＲＬＦを検出しＲＬＦ報告書を用意する。また、ＲＲＣエンティティは、ＲＡＣＨ失敗としてＲＬＦ原因値を有するＳｅＮＢ１０２と関連があるＲＬＦ報告書をＭｅＮＢ１０１に直ちに伝送する（７０５）（このステップは、図５のステップ５０７と同一である)。
【０１１８】
ＵＥ１０３のＲＲＣエンティティにより用意されるＲＬＦ報告書は、ＲＡＣＨ失敗に原因値フィールドを設定し、ＲＬＦ-ＳｅＮＢにconnectionFailureTypeフィールドを設定するステップを含む。また、ＲＬＦ報告書は、測定結果が利用可能な場合、それぞれの物理的セルアイデンティティ（ＰＣＩ）でタグされるＳｅＮＢ１０２の一つ以上のサービングセルの測定結果を含む。測定結果は、ＵＥが無線リンク問題を検出する瞬間まで収集される測定を基盤とする。
【０１１９】
また、ＵＥ１０３のＲＲＣエンティティは、ＭｅＮＢ１０１のＰセルに対してＲＲＣ接続再確立手順を開始することを抑制する。これは、ＵＥ１０３がＰセル１０４で進行中であるサービスの中断を防止できるようにする。ＲＬＦを報告した後に発生したＲＬＦから復元するためにＵＥ１０３により実行される復元作業は図４に既に記述され、簡潔性のために反復しない。また、ＵＥ１０３のＲＲＣエンティティは、確立されたＥＰＳベアラ１にマッピングされるデータ無線ベアラを維持し(７０６)、ＥＰＳベアラ２にマッピングされるデータ無線ベアラを一時中断する(７０７)。また、ＵＥのＲＲＣエンティティはステップ７０５で伝送されるＲＬＦ報告書に応答して、ＲＲＣ接続再構成メッセージで新たな構成を受信(７０８)するまで、ＳｅＮＢ１０２に関連する構成を維持する。一例で、ＲＲＣ接続再構成メッセージで受信されるＲＲＣ再構成媒介変数に基づいて、ＵＥは、ＳｅＮＢ構成を除去し、ＭｅＮＢ１０１のＰセル１０４でＳｅＮＢ１０５により処理されるデータ無線ベアラを再確立する。発生したＲＬＦから復元するためにＵＥ１０３により実行される復元作業は図４に既に記述されるように、複数の他の可能な再構成媒介変数に基づき、簡潔性のために反復しない。
【０１２０】
一実施形態で、ＵＥ１０３のＲＲＣエンティティは、ＭｅＮＢ１０１のＰセル１０４でＥＰＳベアラ２にマッピングされるデータ無線ベアラを再開する（７０９）。
【０１２１】
図８は、本明細書に開示された実施形態による、無線リンクエラー(ＲＬＣ)エラーの処理ステップを図示する例示的な順序図である。図８は、Ｐセル１０４を有するＭｅＮＢ１０１、ＰＵＣＣＨ構成を有するＳセル１０５及びＰＵＣＣＨ構成を有さないＳセル１０６のような一つ以上のＳセルを有するＳｅＮＢ１０２、ＳｅＮＢ１０２に関連するＲＬＣエンティティ及びＲＲＣエンティティを有するＵＥ１０３を図示する。図８は、ＵＥ１０３が第１のサービング周波数が割り当てられたＭｅＮＢ１０１のＰセル１０４でＥＰＳベアラ１（８０１）にマッピングされる確立されたデータ無線ベアラを有する２個のｅＮＢによりサービングされる、動作の二重接続モードのために構成されているＵＥ１０３を図示する。ＥＰＳベアラ（８０２）にマッピングされる一つ以上のデータ無線ベアラは、第２の集合からサービング周波数が割り当てられたＳｅＮＢ１０２のＰＵＣＣＨ構成を有さないＳセル１０６及びＰＵＣＣＨ構成を有するＳセル１０５で確立される。
【０１２２】
ＵＥ１０３とＳｅＮＢ１０２間で確立された一つ以上のデータ無線ベアラ（８０２）でデータが交換される間、ＳｅＮＢ１０２に関連するＵＥ１０３のＲＬＣエンティティは、ＲＬＣ再伝送の最大数がＳｅＮＢ１０２に対して確立されたアップリンクデータ無線ベアラ(ＥＰＳベアラ２)に対する予め定義された閾値を超過するか否かを識別する。ＵＥ１０３のＲＬＣエンティティは、ＳｅＮＢ１０２で確立されたアップリンクデータ無線ベアラに対するＲＬＣエラーとして無線リンク問題を検出する。
【０１２３】
ＵＥ１０３におけるＳｅＮＢに関連するＲＬＣエンティティは、ＵＥ１０３におけるＲＲＣエンティティにＲＬＣエラーとして無線リンク問題を表示することによってアップリンクデータ無線ベアラでＲＬＣエラーによる無線リンク問題を表示する（８０３）。ＵＥ１０３におけるＲＲＣエンティティは、ＲＬＦを検出しＲＬＦ報告書を用意する。また、ＲＲＣエンティティは、ＳｅＮＢ１０２に対するＲＬＣエラーとしてＲＬＦ原因値を有するＲＬＦ報告書を直ちに伝送する（８０４）。
【０１２４】
ＵＥ１０３のＲＲＣエンティティにより用意されるＲＬＦ報告書は、ＲＬＣエラーに原因値フィールドを設定し、ＲＬＦ-ＳｅＮＢにconnectionFailureTypeフィールドを設定するステップを含む。また、ＲＬＦ報告書は、ＲＬＣエラーが検出されるアップリンクデータ無線ベアラの論理チャネルアイデンティティ及び測定結果が利用可能な場合、それぞれの物理的セルアイデンティティ（ＰＣＩ）でタグされるＳｅＮＢ１０２の一つ以上のサービングセルの測定結果を含む。測定結果はＵＥが無線リンク問題を検出する瞬間まで収集される測定を基盤とする。
【０１２５】
また、ＲＲＣエンティティは、ＭｅＮＢ１０１のＰセル１０４に対してＲＲＣ接続再確立手順を開始することを抑制する。これは、ＵＥ１０３がＰセル１０４で進行しているサービスの中断を防止できるようにする。ＲＬＦを報告した後に発生したＲＬＦから復元するためにＵＥ１０３により実行される復元作業は図４に既に記述され、簡潔性を反復しない。また、ＵＥ１０３におけるＲＲＣエンティティは、確立されたＥＰＳベアラ１にマッピングされるデータ無線ベアラを維持し（８０５）、ＥＰＳベアラ２にマッピングされるデータ無線ベアラを一時中断する（８０６）。また、ＵＥのＲＲＣエンティティは、ステップ８０４で伝送されるＲＬＦ報告書に応答して、ＲＲＣ接続再構成メッセージで新たな構成を受信（８０７）するまでＳｅＮＢ１０２に関連する構成を維持する。一例で、ＲＲＣ接続再構成メッセージで受信されるＲＲＣ再構成媒介変数に基づいて、ＵＥ１０３は、ＳｅＮＢ構成を除去し、ＭｅＮＢ１０１のＰセル１０４でＳｅＮＢ１０２により処理される無線ベアラを再確立する。発生したＲＬＦから復元するためにＵＥ１０３により実行される復元作業は、図４に既に記述されるようないくつかの他の可能な再構成媒介変数に基づくことができ、簡潔性のために反復しない。
【０１２６】
一実施形態で、ＵＥ１０３におけるＲＲＣエンティティは、ＭｅＮＢ１０１のＰセル１０４でＥＰＳベアラ２にマッピングされるデータ無線ベアラを再開する（８０８）。
【０１２７】
図９は、本明細書に開示された実施形態による、ＳｅＮＢのＳセルとＵＥ間で無線リンク問題が識別される時、ＵＥの共通ＰＤＣＰエンティティにより無線リンク問題を報告する方法を図示するフローチャートである。図３ａ及び図３ｂに記述されたような分割データ無線ベアラ実現の場合、一つ以上のデータ無線ベアラがＳｅＮＢ１０２に関連する一つ以上のＳセルで確立されるごとに、分割データ無線ベアラは、ＭｅＮＢ１０１及びＳｅＮＢ１０２に関連する共通ＰＤＣＰエンティティ及びＵＥ１０３におけるＳｅＮＢに関連するＲＬＣエンティティにより処理される。方法９００は分割データ無線ベアラ二重接続プロトコルスタックが実現されている時、ＲＬＣエラーによるＲＬＦの発生に対してＰＤＣＰ／ＲＬＣレベルでＲＬＦを処理するステップを許可する。
【０１２８】
ステップ９０１で、ＲＬＦがＲＬＣエラーによって検出される時、方法９００は、ＳｅＮＢ１０２のＳセルとＵＥ間における無線リンク失敗を検出し、ＲＬＣエラーとして識別された無線リンク問題を表示するようにＵＥ１０３を構成する。ＵＥ１０３のＲＬＣエンティティは、再伝送の最大数がデータ無線ベアラに対する予め定義された閾値を超過する時、アップリンクデータ無線ベアラでＲＬＣエラーを識別する。方法９００は、ＲＬＣエラーとして無線リンク問題を表示するようにＵＥ１０３を構成する。ステップ９０２で、方法９００は、ＵＥ１０３における共通ＰＤＣＰエンティティが無線リンク問題を通知するＳｅＮＢ１０２に関連するＵＥ１０３のＲＬＣエンティティから表示を受信することができるようにＵＥ１０３を構成する。表示は、ＵＥ１０３のＲＬＣエンティティによりＳｅＮＢ１０２に向かってアップリンク方向に確立されるデータ無線ベアラに対するＲＬＣエラーを識別した後にＵＥ１０３のＲＬＣエンティティから受信される。
【０１２９】
ステップ９０３で、方法９００は、ＵＥ１０３の共通ＰＤＣＰエンティティがＭｅＮＢ１０１にある共通ＰＤＣＰエンティティにＲＬＣエラーを報告できるように、ＵＥ１０３を構成する。ＵＥ１０３の共通ＰＤＣＰエンティティは、ＳｅＮＢ１０２に関連するＵＥのＲＬＣエンティティにより処理されるＳｅＮＢ１０２に関連するダウンリンクデータ無線ベアラに対するＵＥ１０３により受信されるＰＤＣＰＰＤＵの状態を表示するＰＤＣＰ状態報告書を用意する。ＳｅＮＢ１０２に関連するダウンリンクデータ無線ベアラは、ＭｅＮＢ１０１及びＳｅＮＢ１０２に関連する共通ＰＤＣＰエンティティにより処理される。方法９００はＰセル１０４によりサービングされる第１のサービング周波数からアップリンク方向にＭｅＮＢ１０１における共通ＰＤＣＰエンティティにＲＬＣエラーを表示するＵＥ１０３における共通ＰＤＣＰエンティティによりＰＤＣＰ状態ＰＤＵを伝送するようにＵＥ１０３を構成する。
【０１３０】
一実施形態で、方法９００は、ＲＬＣエラーを表示する無線リンク問題を表示するためにＰＤＵ類型を定義するＰＤＣＰＰＤＵの予約されたビットを利用するようにＵＥ１０３を構成する。
【０１３１】
方法９００は、ＵＥ１０３における共通ＰＤＣＰエンティティがＳｅＮＢ１０２に関連するダウンリンクデータ無線ベアラに対するＵＥ１０３により受信されるＰＤＣＰＰＤＵの状態を表示するＰＤＣＰ状態報告書を用意するようにＵＥ１０３を構成する。ＳｅＮＢ１０２に関連するＵＥのＲＬＣエンティティにより処理されるダウンリンク及び/またはアップリンクデータ無線ベアラに無線リンク問題が存在する時、ＵＥ１０３における共通ＰＤＣＰエンティティは、ＭｅＮＢにある共通ＰＤＣＰエンティティを報告する。ダウンリンク及び/またはアップリンクデータ無線ベアラは、ＳｅＮＢ１０２に関連するＵＥ１０３のＲＬＣエンティティ、及びＭｅＮＢ１０１及びＳｅＮＢ１０２に関連するＵＥ１０３における共通ＰＤＣＰエンティティにより処理される。
【０１３２】
方法９００で多様な作業、行動、ブロック、ステップなどは、提示された順序で、相異なる順序で、または同時に実行できる。また、一部実施形態で、一部作業、行動、ブロック、ステップなどは本発明の範囲を逸脱せずに省略、追加、修正、及びスキップされることができる。
【０１３３】
図１０ａ及び図１０ｂは、本明細書に開示された実施形態による、並列ランダムアクセスまたは順次的ランダムアクセスを使用してＭｅＮＢ及びＳｅＮＢでランダムアクセス手順を実行する方法１０００ａ及び方法１０００ｂを各々図示するフローチャートである。
【０１３４】
ｅＮＢ間搬送波集成で、ＵＥが動作の二重接続モードのために構成される時、ＵＥはＳｅＮＢのＰＵＣＣＨ構成を有するＳセルにおける競合ベースランダムアクセス手順が許可される。したがって、ＵＥが並列で、ＭｅＮＢで一つ及びＳｅＮＢで他の一つ、２個のランダムアクセス手順を実行することができるシナリオがあり得る。
【０１３５】
例えば、ＰＵＣＣＨ構成を有するアクティブ化されたＳセル１０５に対するアップリンク同期化がＵＥ１０３により損失されダウンリンクデータ到着及びアップリンクデータ伝送のうち一つのためのトリガーが存在する時、ＵＥ１０３は、ＳｅＮＢ１０２に関連するアクティブ化されたＳセル１０５でランダムアクセス手順(ＰＵＣＣＨ構成を有するＳセル１０５における競合ベースランダムアクセス)をトリガーすることができる。アップリンク同期化は、関連するタイミングアドバンスタイマ（ＴＡＴ）の満了によりＵＥ１０３により損失されることができる。同時に、ランダムアクセス手順がＰセル１０４でトリガーされるか、進行中であるあるために、２個のランダムアクセス手順が同時にまたは並列でＵＥ１０３により実行されている。前述したシナリオで発生する複数のオプションは方法１０００ａ及び方法１０００ｂに図示されたようにＵＥ１０３により処理される。
【０１３６】
図１０ａに図示されたように、ステップ１０0１ａで、方法１０００ａはランダムアクセス手順がＳｅＮＢ１０２のＰＵＣＣＨ構成を有するＳセル１０５でトリガーされ、ランダムアクセス手順がＭｅＮＢ１０１のＰセル１０４で進行しているか否かを識別するようにＵＥ１０３を構成する。
【０１３７】
一実施形態で、ＳｅＮＢ１０２のＳセル１０５におけるランダムアクセス手順は、ＳセルにおけるＵＥ１０３に対するスケジューリング要請（ＳＲ）リソースの非可用性(unavailability)またはＳセルに対するタイミングアドバンスタイマ（ＴＡＴ）実行の満了によりトリガーされることができる。
【０１３８】
ステップ１００２ａで、方法１０００ａは、ランダムアクセスに対する予め定義された基準が満足されるか否かを決定するようにＵＥ１０３を構成する。
【０１３９】
予め定義された基準の一例は、Ｓセルにおけるランダムアクセス手順に対するトリガーがアップリンクデータに起因し、Ｓセルの論理チャネル優先順位がＰセル論理チャネル優先順位より少ない場合、ＳｅＮＢ１０２のＳセルにおけるランダムアクセス手順が遅延されるということである。他の基準は、ランダムアクセス手順を実行するために必要な伝送電力の考慮であって、ＭｅＮＢ及びＳｅＮＢ両側でランダムアクセス手順を実行するに充分の伝送電力ヘッドルームが存在すると決定されると、並列ランダムアクセスが許可される。
【０１４０】
一実施形態で、予め定義された基準は、ＳｅＮＢで進行しているランダムアクセス手順が(ＰＵＣＣＨリソースを有さないＳセルにおける)競合なしのランダムアクセスであると、ＭｅＮＢのＰセルにおける競合ベースランダムアクセスが遅延されるということであり得る。
【０１４１】
ステップ１００２ａで、ランダムアクセスに対する予め定義された基準が満足されると決定されると、ステップ１００３ａで、方法１０００ａは、各々ＭｅＮＢ１０１及びＳｅＮＢ１０２で並列ランダムアクセス手順が実行されるようにＵＥ１０３を構成する。ステップ１００２ａで、ランダムアクセスに対する予め定義された基準が満足されないと決定されると、ステップ１００４ａで、方法１０００ａは順次的ランダムアクセス手順を実行するようにＵＥ１０３を構成する。
【０１４２】
方法１０００ａ及び方法１０００ｂにより許可される順次的ランダムアクセス手順は、ＭｅＮＢ１０１のＰセル１０４における進行中であるランダムアクセス手順を完了し、ＳｅＮＢ１０２のＰＵＣＣＨリソースでプロビジョニングされたＳセルにおけるトリガーされたランダムアクセス手順の開始を遅延させるようにＵＥ１０３を構成する。ＭｅＮＢ１０１のＰセル１０４におけるランダムアクセス手順がＭｅＮＢ１０１のＰセル１０４に対してトリガーされた任意のＵＥ作業を遅延せずに、モビリティアンカとの無線リンクを安定して維持するために非常に重要であるため、このような遅延が許可される。また、ＳｅＮＢ１０２のＳセル１０５におけるランダムアクセス手順はＰセル１０４に対するランダムアクセス手順の成功的な完了後に実行される。順次的ランダムアクセス接近方法はＵＥ複雑性を減少させる。しかし、Ｐセルにおけるランダムアクセス手順の優先順位は予め定義された基準に基づいて定められる。
【０１４３】
方法１０００ａで多様な作業、行動、ブロック、ステップなどは提示された順序で、相異なる順序で、または同時に実行できる。また、一部実施形態で、一部作業、行動、ブロック、ステップなどは本発明の範囲を逸脱せずに省略、追加、修正、及びスキップされることができる。
【０１４４】
図１０ｂに図示されたように、ステップ１００１ｂで、方法１０００ｂはランダムアクセス手順がＭｅＮＢ１０１のＰセル１０４でトリガーされ、ランダムアクセス手順がＳｅＮＢ１０２のＰＵＣＣＨ構成を有するＳセル１０５で進行しているか否かを識別するようにＵＥ１０３を構成する。
【０１４５】
一実施形態で、Ｐセル１０４におけるランダムアクセス手順に対するトリガーは、Ｐセル１０４におけるＵＥ１０３に対するスケジューリング要請（ＳＲ）リソースの非可用性(unavailability)またはＰセル１０４に対するタイミングアドバンスタイマ（ＴＡＴ）実行の満了に起因する。
【０１４６】
例示的なシナリオで、ランダムアクセス手順が進行しているＳセルはＰＵＣＣＨ構成でプロビジョニングされる現在のサービングＳセル１０５であり得る。ステップ１００２ｂで、方法１０００ｂはランダムアクセスに対する予め定義された基準が満足されるか否かを決定するようにＵＥ１０３を構成する。
【０１４７】
ステップ１００２ｂで、ランダムアクセスに対する予め定義された基準が満足されると決定されると、ステップ１００３ｂで、方法１０００ｂは、各々ＭｅＮＢ１０１及びＳｅＮＢ１０２で並列ランダムアクセス手順が実行されるようにＵＥ１０３を構成する。
【０１４８】
ステップ１００２ｂで、ランダムアクセスに対する予め定義された基準が満足されないと決定されると、ステップ１００４ｂで、方法１０００ｂは、ランダムアクセス手順がＰセル１０４でトリガーされるごとに、ＭｅＮＢ１０１におけるランダムアクセス手順を実行しＳセル１０５における進行中であるランダムアクセス手順が中断されるようにＵＥ１０３を構成する。他の実施形態で、競合なしのランダムアクセスは、競合ベースランダムアクセスに比べて少し遅延されて完了すると期待されるために、方法１０００ｂはＳｅＮＢ１０２で（それが競合なしのランダムアクセスである場合）進行中であるランダムアクセス手順を完了し、Ｐセル１０４におけるトリガーされたランダムアクセス手順を遅延させるようにＵＥ１０３を構成する。
【０１４９】
方法１０００で多様な作業、行動、ブロック、ステップなどは提示された順序で、相異なる順序で、または同時に実行できる。また、一部実施形態で、一部作業、行動、ブロック、ステップなどは本発明の範囲を逸脱せずに省略、追加、修正、及びスキップされることができる。
【０１５０】
ＳｅＮＢのＳセルにおける競合ベースランダムアクセス手順による場合に、ＵＥがＵＬデータ到着ケースに対してランダムアクセス手順を開始する必要がある時、しかしＳｅＮＢのＳセルが構成されるがＰセルによりまだアクティブ化されない場合、一実施形態で、ＵＥはＳセルにおけるランダムアクセス手順を自律的に開始するか、または、まずＳセルをアクティブ化するようにＰセルに要請して、ランダムアクセス手順を開始できる。
【０１５１】
一実施形態で、関連するＳセルがＰセルによりｅＮＢ間搬送波集成のための搬送波の目録で構成されると、ＵＥは、ＳｅＮＢのＳセルで競合ベースランダムアクセス手順を自律的に開始するように許可される。
【０１５２】
一実施形態で、ＵＥは、まず構成されたＳセルの目録からＳｅＮＢのＳセルをアクティブ化するようにＰセルに要請する。応答で、ＵＥは、関連するＳセルのアクティブ化のためにＭＡＣ ＣＥを受信する。選択的に、ＰセルはＰＤＣＣＨ順序を伝送できる。ＰＤＣＣＨ順序がＵＥにより受信されれば、それはＳセルで競合なしのランダムアクセス手順を従う。そうでなければ、ＵＥはＳセルで競合ベースランダムアクセス手順を開始する。
【０１５３】
図１１は、本明細書に開示された実施形態による、ＵＥから受信されるＣＱＩ報告書及び／またはＨＡＲＱＡＣＫ／ＮＡＫを使用して、ＵＥとＳセル間で識別される無線リンク問題をＳｅＮＢに基づいて報告する方法１１００を図示するフローチャートである。
【０１５４】
二重接続のために、ＵＥがｅＮＢ間搬送波集成で構成される時、ＳｅＮＢ１０２のＳセルに割り当てられた第２のサービング周波数に対する測定報告書、及びダウンリンクデータに対するチャネル品質表示（ＣＱＩ）報告書及びハイブリッド自動反復要請（ＨＡＲＱ）承認／非承認（ＡＣＫ／ＮＡＫ）表示はＳｅＮＢのＳセルに伝送される。提案された方法は、ＳｅＮＢ１０２に関連するＳセルとＵＥ１０３間でＲＬＦを検出するためにＣＱＩ報告書及び／またはＨＡＲＱＡＣＫ／ＮＡＫ表示を利用するようにＳｅＮＢ１０２を構成する。また、提案された方法は、ＭｅＮＢ１０１に識別されたＵＥ１０３に対するＲＬＦを報告するようにＳｅＮＢ１０２を構成する。
【０１５５】
ステップ１１０１で、方法１１００は、ＳｅＮＢ１０２のＳセルによりサービングされるＵＥからＵＥ１０３にスケジューリングされるダウンリンクデータに対するＣＱＩ報告書及び／またはＨＡＲＱＡＣＫ／ＮＡＫを受信するようにＳｅＮＢ１０２を構成する。ステップ１１０２で、方法１１００は、ＳｅＮＢのＳセルに関連するサービング周波数（第２のサービング周波数）で無線リンク問題を検出するようにＳｅＮＢ１０２を構成する。ＳｅＮＢ１０２は、ＵＥ１０３によりＳｅＮＢ１０２に伝送されるＣＱＩ報告書及び／またはＨＡＲＱＡＣＫ／ＮＡＫ表示を含む、しかし、これに限定されない、媒介変数に基づいてダウンリンクＲＬＦとして無線リンク問題を識別できる。ステップ１１０３で、方法１１００は非理想的なバックホール（Ｘ２インターフェース）を通してＭｅＮＢ１０１にダウンリンクＲＬＦを報告するようにＳｅＮＢ１０２を構成する。
【０１５６】
一実施形態で、理想的なバックホールがＭｅＮＢ１０１とＳｅＮＢ１０２間に存在する場合、方法１１００は、理想的なバックホールを通してＭｅＮＢ１０１にダウンリンクＲＬＦを報告するようにＳｅＮＢ１０２を構成する。
【０１５７】
一実施形態で、報告書はＳｅＮＢ１０２により処理される一つ以上のデータ無線ベアラを再確立するための再構成メッセージ、及びダウンリンクＲＬＦを表示する原因値フィールドを含む、しかしこれに限定されない、媒介変数を含む。また、方法１１００は、ＵＥ１０３にダウンリンク方向にＰセル１０４によりサービングされる第１のサービング周波数でＲＲＣ接続再構成メッセージを伝送するようにＭｅＮＢ１０１を構成する。一例で、ＲＲＣ接続再構成メッセージは、無線ネットワーク１００で適合した候補ＳｅＮＢの適合したＳセルまたはＳｅＮＢ１０２の適合した候補ＳセルへのＳセルの切り替えを実行するＵＥ１０３を表示する。また、ＵＥ１０３は、ＳｅＮＢ１０２に関連する構成を除去するためにＲＬＦが検出及び表示されたＳｅＮＢ１０２に関連する第２のサービング周波数を非アクティブ化するために表示される。他の可能な再構成媒介変数に基づいて発生したＲＬＦから復元するためにＵＥ１０３により実行される復元作業は図４に既に記述され、簡潔性のために反復しない。
【０１５８】
方法１１００で多様な作業、行動、ブロック、ステップなどは提示された順序で、相異なる順序で、または同時に実行できる。また、一部実施形態で、一部作業、行動、ブロック、ステップなどは本発明の範囲を逸脱せずに省略、追加、修正、及びスキップされることができる。
【０１５９】
本明細書に開示された実施形態は、要素を制御するためにネットワーク管理機能を実行して少なくとも一つのハードウェア装置で実行する少なくとも一つのソフトウェアプログラムを通して実現されることができる。図１、図２ａ、図２ｂ、図３ａ、図３ｂ、図５、図６、図７、及び図８に図示された要素は、ハードウェア装置、またはハードウェア装置とソフトウェアモジュールの組合せのうち少なくとも一つであるブロックを含む。
【０１６０】
特定実施形態の上記説明は、本明細書に記載された実施形態の一般的な特性を十分に示すため、他人が現在の知識を適用して一般的な概念を逸脱せずにこのような特定実施形態を容易に修正して及び/または多様なアプリケーションに適用でき、したがって、このような適応例及び修正例は開示された実施形態の等価物の意味及び範囲内で理解されるべきであり、分かるように意図される。本明細書で使用された語法や用語は制限でなく説明のためのものであることが理解される。したがって、本明細書に記載された実施形態は、好ましい実施形態の観点で記述されるが、当業者は本明細書に記載された実施形態が本明細書に記述された実施形態の思想及び範囲内で修正されて実施できることを認識する。
【符号の説明】
【０１６１】
１００  無線ネットワーク
１０１  ＭｅＮＢ
１０２  ＳｅＮＢ
１０３  ＵＥ
１０４  一次セル
１０５、１０６  Ｓセル
１０７  二次セル
２０１  通信インターフェースモジュール
【図１】
2016532391.tif 000003
【図２ａ】
2016532391.tif 000004
【図２ｂ】
2016532391.tif 000005
【図３ａ】
2016532391.tif 000006
【図３ｂ】
2016532391.tif 000007
【図４】
2016532391.tif 000008
【図５】
2016532391.tif 000009
【図６】
2016532391.tif 000010
【図７】
2016532391.tif 000011
【図８】
2016532391.tif 000012
【図９】
2016532391.tif 000013
【図１０ａ】
2016532391.tif 000014
【図１０ｂ】
2016532391.tif 000015
【図１１】
2016532391.tif 000016
【国際調査報告】
2016532391.tif 000017
2016532391.tif 000018
2016532391.tif 000019